【事件の表示】
　特許第２８３９８７９号「記録媒体」の請求項１ないし４に係る特許に対する特許異議の申立てについて、次のとおり決定する。
【結　論】
　訂正を認める。
　特許第２８３９８７９号の請求項１ないし４に係る特許を維持する。
【理　由】
  １　本件発明の手続の経緯
    　本件特許第２８３９８７９号の請求項１乃至４に係る発明の手続
    の経緯は以下の通りである。
    出願　　　　　特願平８ー７８７１６号（平成８年４月１日出願）
　　　　　　　に基づく国内優先権主張を伴う平成９年４月１日の
　　　　　　　出願
    設定登録　　　平成１０年１０月１６日
    異議の申立　　平成１１年６月１６日
    取消理由通知　平成１１年１１月１１日
    訂正請求　　　平成１２年２月１日
    　
    ２　訂正の適否
    （１）訂正の内容
    　　特許権者が求めている訂正の内容は、以下の通りである。
    （１．１）特許請求の範囲に係る記載について
    （１．１．１）請求項１について
    訂正事項ａについて
    「再生対象としての多数のデータ・ユニットが記録され、このデー
    タ・ユニットがその先頭に配置されたナビゲーション・データ・パ
    ック、」を
    「再生対象としての多数のデータ・ユニットが記録され、この各デ
    ータ・ユニットが一定時間期間内に再生される再生単位として定め
    られ、その先頭に配置されたナビゲーション・データ・パック」に
    訂正する。
    訂正事項bについて
    「これに続いて配置されたビデオ、オーディオ及び副映像データ・
    パックを含むデータ・パック列から構成されている光ディスクにお
    いて、」を
    　「これに続いて配置されたビデオ、オーディオ及び副映像デー
    タ・パックを含み、そのそれぞれが同一のパック長を有するデー
    タ・パック列から構成され、このデータ・ユニットが多数記録され
    ている再生対象領域及び１又は複数のデータ・ユニットの集合とし
    て規定されるセルの再生順序を規定するセル再生情報テーブルが記
    録されている再生情報領域であって、セル再生情報テーブルが各セ
    ルを構成する最初のデータ・ユニットの開始アドレス及び最後のデ
    ータ・ユニットの開始アドレスが記録されている再生情報領域を有
    している光ディスクにおいて、」に訂正する。
    訂正事項cについて
    「前記ナビゲーション・データ・パックは、第１及び第２のデー
    タ・パケットを含み、」を
    「前記ナビゲーション・データ・パックは、ＰＣＩパケット及びＤ
    ＳＩパケットを含み、」に訂正する。
    訂正事項ｄ
    「　前記第１のデータ・パケットは、パケット・ヘッダ、これに続
    くサブ・ストリームＩＤ領域及び第１のパケット・データ領域を具
    備し、前記第１のパケット・データ領域には、前記データ・パック
    列の再現を制御する第１のパケット・データが格納され、前記パケ
    ット・ヘッダには、前記第１のパケット・データがＭＰＥＧ規格で
    定められたプライベート・ストリーム２に属する旨を示すストリー
    ムＩＤが記録され、前記サブ・ストリームＩＤ領域には、前記第１
    のパケット・データを識別するサブ・ストリームＩＤが記録さ
    れ、」を
    「　前記ＰＣＩパケットは、パケット・ヘッダ、これに続くサブ・
    ストリームＩＤ領域及びＰＣＩパケット・データ領域を具備し、前
    記ＰＣＩパケット・データ領域には、前記データ・パック列の再現
    を制御するＰＣＩパケット・データが格納され、このＰＣＩパケッ
    ト・データは、当該ＰＣＩパケット・データが含まれる前記デー
    タ・ユニット内のビデオデータの再生開始時間及び再生終了時間を
    含み、前記パケット・ヘッダには、前記ＰＣＩパケット・データが
    ＭＰＥＧ規格で定められたプライベート・ストリーム２に属する旨
    を示すストリームＩＤが記録され、前記サブ・ストリームＩＤ領域
    には、前記ＰＣＩパケット・データを識別するサブ・ストリームＩ
    Ｄが記録され、」に訂正する。
    訂正事項ｅについて
    「前記第２のデータ・パケットは、パケット・ヘッダ、これに続く
    サブ・ストリームＩＤ領域及び第２のパケット・データ領域を具備
    し、前記第の２パケット・データ領域には、前記データ・ユニット
    を検索する第２のパケット・データが格納され、前記パケット・ヘ
    ッダには、前記第２のパケット・データがＭＰＥＧ規格で定められ
    たプライベート・ストリーム２に属する旨を示すストリームＩＤが
    記録され、前記サブ・ストリームＩＤ領域には、前記第２のパケッ
    ト・データを識別するサブ・ストリームＩＤが記録され、」を
    「前記ＤＳＩ・パケットは、パケット・ヘッダ、これに続くサブ・
    ストリームＩＤ領域及びＤＳＩパケットデータ領域を具備し、前記
    ＤＳＩパケット・データ領域には、前記データ・ユニットを検索す
    るＤＳＩパケット・データが格納され、このＤＳＩパケット・デー
    タは、当該ＤＳＩパケット・データが含まれるナビゲーション・デ
    ータ・パックのスタート・アドレス及び当該ＤＳＩパケット・デー
    タが含まれるデータ・ユニットの最終パックのアドレスを含み、前
    記パケット・ヘッダには、前記ＤＳＩパケット・データがＭＰＥＧ
    規格で定められたプライベート・ストリーム２に属する旨を示すス
    トリームＩＤが記録され、前記サブ・ストリームＩＤ領域には、前
    記ＤＳＩパケット・データを識別するサブ・ストリームＩＤが記録
    され、」に訂正する。
    （１．１．２）請求項４の訂正について
    訂正事項ｆについて
    「前記副映像及びオーディオ・パックのデータ・パケットにおける
    前記サブ・ストリームＩＤ領域には、前記サブ・ストリームＩＤに
    続いてそのストリーム番号が記載されていることを特徴とする請求
    項１の光ディスク。」を
    「前記副映像及びオーディオ・パックのデータ・パケットにおける
    前記サブ・ストリームＩＤ領域には、前記サブ・ストリームＩＤに
    続いてそのストリーム番号が記載され、前記ＤＳＩパケット・デー
    タには、当該データ・ユニットに含まれるビデオ・データに同期し
    て再生されるオーディオ・データ・パックのアドレス及び前記ビデ
    オ・データに同期して再生される副映像パックを含むデータ・ユニ
    ットのアドレスが同期情報として記述されていることを特徴とする
    請求項１の光ディスク。」に訂正する。
    　
    （１．２）詳細な説明に関する訂正に関して
    訂正事項ｇについて
    明細書の【課題を解決するための手段】の欄の全文に関し
    　「この発明によれば、・・・、前記パケット・データが特定のデ
    ータ・ストリームに属する副映像データである旨を示しているサ
    ブ・ストリームＩＤが記録されていることを特徴とする光ディスク
    が提供される。」を
    　「この発明によれば、　再生対象としての多数のデータ・ユニッ
    トが記録され、この各データ・ユニットが一定時間期間内に再生さ
    れる再生単位として定められ、その先頭に配置されたナビゲーショ
    ン・データ・パック並びにこれに続いて配置されたビデオ、オーデ
    ィオ及び副映像データ・パックを含み、そのそれぞれが同一のパッ
    ク長を有するデータ・パック列から構成され、このデータ・ユニッ
    トが多数記録されている再生対象領域及び１又は複数のデータ・ユ
    ニットの集合として規定されるセルの再生順序を規定するセル再生
    情報テーブルが記録されている再生情報領域であって、セル再生情
    報テーブルが各セルを構成する最初のデータ・ユニットの開始アド
    レス及び最後のデータ・ユニットの開始アドレスが記録されている
    再生情報領域を有している光ディスクにおいて、前記ビデオ・オー
    ディオ及び副映像データ・パックは、それぞれ１つのパック・ヘッ
    ダ及び１つのデータ・パケットから構成され、前記ビデオ・パケッ
    トには、ＭＰＥＧ規格に準拠するビデオ・ストリームのデータが格
    納され、前記ナビゲーション・データ・パックは、ＰＣＩパケット
    及びＤＳＩパケットを含み、　前記ＰＣＩパケットは、パケット・
    ヘッダ、これに続くサブ・ストリームＩＤ領域及びＰＣＩパケッ
    ト・データ領域を具備し、前記ＰＣＩパケット・データ領域には、
    前記データ・パック列の再現を制御するＰＣＩパケット・データが
    格納され、このＰＣＩパケット・データは、当該ＰＣＩパケット・
    データが含まれる前記データ・ユニット内のビデオデータの再生開
    始時間及び再生終了時間を含み、前記パケット・ヘッダには、前記
    ＰＣＩパケット・データがＭＰＥＧ規格で定められたプライベー
    ト・ストリーム２に属する旨を示すストリームＩＤが記録され、前
    記サブ・ストリームＩＤ領域には、前記ＰＣＩパケット・データを
    識別するサブ・ストリームＩＤが記録され、　前記ＤＳＩ・パケッ
    トは、パケット・ヘッダ、これに続くサブ・ストリームＩＤ領域及
    びＤＳＩパケットデータ領域を具備し、前記ＤＳＩパケット・デー
    タ領域には、前記データ・ユニットを検索するＤＳＩパケット・デ
    ータが格納され、このＤＳＩパケット・データは、当該ＤＳＩパケ
    ット・データが含まれるナビゲーション・データ・パックのスター
    ト・アドレス及び当該ＤＳＩパケット・データが含まれるデータ・
    ユニットの最終パックのアドレスを含み、前記パケット・ヘッダに
    は、前記ＤＳＩパケット・データがＭＰＥＧ規格で定められたプラ
    イベート・ストリーム２に属する旨を示すストリームＩＤが記録さ
    れ、前記サブ・ストリームＩＤ領域には、前記ＤＳＩパケット・デ
    ータを識別するサブ・ストリームＩＤが記録され、　前記オーディ
    オ・パックのデータ・パケットは、パケット・ヘッダ、これに続く
    サブ・ストリームＩＤ領域及びパケット・データ領域を具備し、こ
    のパケット・データ領域には、ＭＰＥＧオーディオ・ストリーム以
    外のストリームに属するオーディオ・パケット・データが格納さ
    れ、前記パケット・ヘッダには、前記パケット・データがＭＰＥＧ
    規格に定められたプライベート・ストリーム１に属するデータであ
    る旨を示すストリームＩＤが記録され、前記サブ・ストリームＩＤ
    領域には、前記パケット・データが特定のオーディオ・ストリーム
    に属するオーディオ・データである旨を示しているサブ・ストリー
    ムＩＤが記録され、　前記副映像パックのデータ・パケットは、パ
    ケット・ヘッダ、これに続くサブ・ストリームＩＤ領域及びパケッ
    ト・データ領域を具備し、このパケット・データ領域には、ＭＰＥ
    Ｇビデオ・ストリーム以外の副映像ストリームに属する副映像パケ
    ット・データが格納され、前記パケット・ヘッダには、前記パケッ
    ト・データがＭＰＥＧ規格に定められたプライベート・ストリーム
    １に属するデータである旨を示すストリームＩＤが記録され、前記
    サブ・ストリームＩＤ領域には、前記パケット・データが特定のデ
    ータ・ストリームに属する副映像データである旨を示しているサ
    ブ・ストリームＩＤが記録されていることを特徴とする光ディスク
    が提供される。」に訂正する。
    　
    （２）　訂正の目的の適否、新規事項の有無及び拡張・変更の適否
    （２．１）　特許請求の範囲の訂正について
    （２．１．１）請求項１について
    　訂正事項ａについては、特許請求の範囲第１項に「再生対象とし
    ての多数のデータ・ユニットが記録され、この各データ・ユニット
    が一定時間期間内に再生される再生単位として定められ、その先頭
    に配置されたナビゲーション・データ・パック」の限定を加えてい
    るから、特許請求の範囲の減縮に相当する。
    　・　本件特許明細書段落番号００３６の後段には、ビデオオブジ
    ェクトユニット（ＶＯＢＵ）の再生時間に関して「その再生時間
    は、０．４秒以上であって１秒よりも大きくならないように定めら
    れる。」と記述されている。従って、特許請求の範囲第１項の「各
    データ・ユニットが一定時間期間内に再生される」との記載は、明
    細書にその根拠があるものである。
    　・　また、本件特許明細書段落番号００３７の中段には、「ビデ
    オオブジェクトユニットを１単位として再生データが構成され
    る。」とある。従って、特許請求の範囲第１項の「データ・ユニッ
    トが再生単位として定められ」との記述は、明細書にその補正の根
    拠があるものである。
    　
    　訂正事項ｂについては、特許請求の範囲第１項に「これに続いて
    配置されたビデオ、オーディオ及び副映像データ・パックを含み、
    そのそれぞれが同一のパック長を有するデータ・パック列から構成
    され、このデータ・ユニットが多数記録されている再生対象領域及
    び１又は複数のデータ・ユニットの集合として規定されるセルの再
    生順序を規定するセル再生情報テーブルが記録されている再生情報
    領域であって、セル再生情報テーブルが各セルを構成する最初のデ
    ータ・ユニットの開始アドレス及び最後のデータ・ユニットの開始
    アドレスが記録されている再生情報領域を有している光ディスクに
    おいて、」の限定を加えるものであるから、この訂正は、特許請求
    の範囲の減縮に相当する。
    　・　本件特許明細書段落番号００７５の中段には、ＮＶパックに
    関して「１パックが１論理セクタに相当する２０４８バイトに定め
    られている。」と記載され、また、段落番号００７７」には、ビデ
    オ・パック、オーディオ・パック及び副映像パックに関し「パック
    長は、２０４８バイトに定められている。」と記載されている。従
    って、「そのそれぞれが同一のパック長を有するデータ・パック
    列」との記載は、明細書にその補正の根拠があるものである。
    　・　本件特許明細書の図４から光ディスク上には、ビデオタイト
    ルセット７２（ＶＴＳ）の領域があることは明らかであり、図１２
    には、このビデオタイトルセット７２（ＶＴＳ）の構造が示され、
    この図１２及び段落番号００５０には、このビデオタイトルセット
    ７２（ＶＴＳ）がビデオオブジェクトセット（ＶＯＢＳ）９６を有
    する旨が開示されている。ここで、図６及び段落番号００３５及び
    ００３６から明らかなようにビデオオブジェクトセット（ＶＯＢ
    Ｓ）９６は、ビデオオブジェクトセット８２であって、データ・ユ
    ニットに相当するビデオオブジェクトユニット（ＶＯＢＵ）の集合
    として定められている。従って、光ディスク上には、「データ・ユ
    ニットが多数記録されている再生対象領域」の記載は、明細書にそ
    の補正の根拠があるものである。
    　・　本件特許明細書の図４から光ディスク上には、ビデオタイト
    ルセット７２（ＶＴＳ）の領域があることは明らかであり、図１２
    には、このビデオタイトルセット７２（ＶＴＳ）の構造が示され、
    この図１２及び段落番号００４９及び５０には、ビデオタイトルセ
    ット７２（ＶＴＳ）がビデオタイトルセット情報９４（ＶＴＳＩ）
    を有し、また、この図１２及び段落番号００５２及び００５４に
    は、ビデオタイトルセット情報９４（ＶＴＳＩ）は、ＶＴＳプログ
    ラムチェーンテーブル１００（ＶＴＳ＿ＰＧＣＩＴ）を含む旨こと
    は明らかである。このＶＴＳプログラムチェーンテーブル１００
    （ＶＴＳ＿ＰＧＣＩＴ）は、図１４の構造を有し、その内のＶＴＳ
    プログラムチェーン情報１０４（ＶＴＳ＿ＰＧＣＩ）は、図１７及
    び段落番号００６６に示されるようにセル再生情報テーブル１０７
    （Ｃ＿ＰＢＩＴ）を含んでいる。このセル再生情報テーブル１０７
    （Ｃ＿ＰＢＩＴ）は、段落番号００７１に「セル再生情報テーブル
    （Ｃ＿ＰＢＩＴ）１０７はＰＧＣのセルの再生順序を定義してい
    る。」と記載されている。また、セルに関しては、図６及び段落番
    号００３６から明らかなように「セルは、１又は複数のビデオオブ
    ジェクトユニット（ＶＯＢＵ）８５から構成される。」と記載され
    ている。従って、「１又は複数のデータ・ユニットの集合として規
    定されるセルの再生順序を規定するセル再生情報テーブルが記録さ
    れている再生情報領域」については、明細書に補正の根拠があるも
    のである。
    　・　本件特許明細書の図２１及び段落番号００７１は、セル再生
    情報テーブル１０７（Ｃ＿ＰＢＩＴ）の構造を示し、セル再生情報
    （Ｃ＿ＰＢＩＴ）から構成されることを示している。セル再生情報
    （Ｃ＿ＰＢＩＴ）には、図２２を参照する段落番号００７３に「セ
    ル再生情報テーブルが各セルを構成する最初のデータ・ユニットの
    開始アドレス及び最後のデータ・ユニットの開始アドレスが記録さ
    れ」の記述があり、セル再生情報テーブル１０７（Ｃ＿ＰＢＩＴ）
    が記録された領域として再生情報領域が光ディスクに設けられるこ
    とも明細書に補正の根拠のあるものである。
    　
    　訂正事項ｃについては、特許請求の範囲第１項に「前記ナビゲー
    ション・パックは、ＰＣＩパケット及びＤＳＩパケットを含み、」
    と訂正を加えるものである。即ち、第１のデータパケットをＰＣＩ
    パケットに訂正し、第２のデータパケットをＤＳＩパケットに訂正
    するものであるから、この訂正は、特許請求の範囲の明瞭な記載の
    釈明に相当する。
    　本件特許明細書の図２５及び段落番号００７５には、ＮＶ（ナビ
    ゲーション）パックが再生制御情報（ＰＣＩ）パケット１１６及び
    データサーチ情報（ＤＳＩ）パケット１１７からなる構造を有する
    旨の記載がある。従って、この訂正は、明細書に補正の根拠のある
    ものである。
    　
    　訂正事項ｄについては、特許請求の範囲第１項に「前記ＰＣＩパ
    ケットは、パケット・ヘッダ、これに続くサブ・ストリームＩＤ領
    域及びＰＣＩパケット・データ領域を具備し、前記ＰＣＩパケッ
    ト・データ領域には、前記データ・パック列の再現を制御するＰＣ
    Ｉパケット・データが格納され、このＰＣＩパケット・データは、
    当該ＰＣＩパケット・データが含まれる前記データ・ユニット内の
    ビデオデータの再生開始時間及び再生終了時間を含み、前記パケッ
    ト・ヘッダには、前記ＰＣＩパケット・データがＭＰＥＧ規格で定
    められたプライベート・ストリーム２に属する旨を示すストリーム
    ＩＤが記録され、前記サブ・ストリームＩＤ領域には、前記ＰＣＩ
    パケット・データを識別するサブ・ストリームＩＤが記録され、」
    の限定を加えるものであるから、この訂正は、特許請求の範囲の減
    縮に相当する。
    　・　本件特許の明細書の図２８及び段落番号００７８には、ＰＣ
    Ｉパケット１１６がＰＣＩデータ（ＰＣＩ）を有し、ＰＣＩデータ
    （ＰＣＩ）がＰＣＩ一般情報（ＰＣＩ＿ＧＩ）を含み、このＰＣＩ
    一般情報（ＰＣＩ＿ＧＩ）には、ＶＯＢＵ８５のスタートＰＴＳ
    （ＶＯＢＵ＿ＳＰＴＳ）及び終了ＰＴＳ（ＶＯＢＵ＿ＥＰＴＳ）が
    記述されると記載され、「ここで、ＶＯＢＵ８５のスタートＰＴＳ
    （ＶＯＢＵ＿ＳＰＴＳ）は、当該ＰＣＩ１１３が含まれるＶＯＢＵ
    ８５中のビデオデータの再生開始時間（スタートプレゼンテーショ
    ンタイムスタンプ（ＳＰＴＳ））を示している。」と記載されてい
    る。同様に、「ここで、ＶＯＢＵ８５の終了ＰＴＳ（ＶＯＢＵ＿Ｅ
    ＰＴＳ）は、当該ＰＣＩ１１３が含まれるＶＯＢＵ８５中のビデオ
    データの再生終了時間（終了プレゼンテーションタイムスタンプ
    （ＥＰＴＳ））を示している。」と記載されている。従って、「こ
    のＰＣＩパケット・データは、当該ＰＣＩパケット・データが含ま
    れる前記データ・ユニット内のビデオデータの再生開始時間及び再
    生終了時間を含み、」については、明細書に補正の根拠があるもの
    である。
    　
    　訂正事項ｅについては、特許請求の範囲第１項に「　前記ＤＳ
    Ｉ・パケットは、パケット・ヘッダ、これに続くサブ・ストリーム
    ＩＤ領域及びＤＳＩパケットデータ領域を具備し、前記ＤＳＩパケ
    ット・データ領域には、前記データ・ユニットを検索するＤＳＩパ
    ケット・データが格納され、このＤＳＩパケット・データは、当該
    ＤＳＩパケット・データが含まれるナビゲーション・データ・パッ
    クのスタート・アドレス及び当該ＤＳＩパケット・データが含まれ
    るデータ・ユニットの最終パックのアドレスを含み、前記パケッ
    ト・ヘッダには、前記ＤＳＩパケット・データがＭＰＥＧ規格で定
    められたプライベート・ストリーム２に属する旨を示すストリーム
    ＩＤが記録され、前記サブ・ストリームＩＤ領域には、前記ＤＳＩ
    パケット・データを識別するサブ・ストリームＩＤが記録され、」
    の限定を加えるものであるから、この訂正は、特許請求の範囲の減
    縮に相当する。
    　・　本件特許の明細書の図３０及び段落番号００８０には、ＤＳ
    Ｉパケット１１７がＤＳＩデータ（ＤＳＩ）１１５を有し、ＤＳＩ
    データ１１５（ＤＳＩ）がＤＳＩ一般情報（ＤＳＩ＿ＧＩ）を含
    み、このＤＳＩ一般情報（ＰＣＩ＿ＧＩ）には、「ＤＳＩ１１５が
    記録されているＶＯＢセット（ＶＯＢＳ）８２の先頭論理セクタか
    らの相対的論理セクタ数（ＲＬＳＮ）でＤＳＩ１１５が記録されて
    いるＮＶパック（ＮＶ＿ＰＣＫ）８６のスタートアドレス（ＮＶ＿
    ＰＣＫ＿ＬＢＮ）」が記載されると記述される。また、「ＤＳＩ１
    １５が記録されているＶＯＢセット（ＶＯＢＳ）８２の先頭論理セ
    クタからの相対的論理セクタ数（ＲＬＳＮ）でＤＳＩ１１５が記録
    されているＶＯＢユニット（ＶＯＢＵ）８５中の最終パックのアド
    レス（ＶＯＢＵ＿ＥＡ）」が記載されると記述される。従って、
    「このＤＳＩパケット・データは、当該ＤＳＩパケット・データが
    含まれるナビゲーション・データ・パックのスタート・アドレス及
    び当該ＤＳＩパケット・データが含まれるデータ・ユニットの最終
    パックのアドレスを含み、」については、明細書に補正の根拠があ
    るものである。
    　
    （２．１．２）請求項４について
    訂正事項ｆについては、特許請求の範囲第４項に係る記載「前記副
    映像及びオーディオ・パックのデータ・パケットにおける前記サ
    ブ・ストリームＩＤ領域には、前記サブ・ストリームＩＤに続いて
    そのストリーム番号が記載され、前記ＤＳＩパケット・データに
    は、当該データ・ユニットに含まれるビデオ・データに同期して再
    生されるオーディオ・データ・パックのアドレス及び前記ビデオ・
    データに同期して再生される副映像パックを含むデータユニットの
    アドレスが同期情報として記述されていることを特徴とする請求項
    １の光ディスク。」に限定を加えるものであるから、この訂正は、
    特許請求の範囲の減縮に相当する。
    　・　本件特許の明細書の段落番号００７９には、ＤＳＩパケット
    １１７がＶＯＢユニット（ＶＯＢＵ）８５をサーチをするためのＤ
    ＳＩデータ（ＤＳＩ）１１５を有し、ＤＳＩデータ（ＤＳＩ）１１
    ５が同期再生情報（ＳＹＮＣＩ）を含む旨が記載されている。ま
    た、明細書の段落番号００８３には、オーディオの同期情報に関し
    て「ＤＳＩ１１５が記録されているＮＶパック（ＮＶ＿ＰＣＫ）８
    ６から相対的な論理セクタ数で（ＲＬＳＮ）で目的とするオーディ
    オパック（Ａ＿ＰＣＫ）９１のスタートアドレス（Ａ＿ＳＹＮＣ
    Ａ）が記載される。」とあり、また、「同期再生情報（ＳＹＮＣ
    Ｉ）には、目的とする副映像パック（ＳＰ＿ＰＣＫ）９０を含むＶ
    ＯＢユニット（ＶＯＢU）８５のＮＶパック（ＮＶ＿ＰＣＫ）８６
    のアドレス（ＳＰ＿ＳＹＮＣＡ）がＤＳＩ１１５が記録されている
    ＮＶパック（ＮＶ＿ＰＣＫ）８６からの相対的な論理セクタ数（Ｒ
    ＬＳＮ）で記載されている。」と記述される。従って、特許請求の
    範囲第１項の「前記ＤＳＩパケット・データには、当該データ・ユ
    ニットに含まれるビデオ・データに同期して再生されるオーディ
    オ・データ・パックのアドレス及び前記ビデオ・データに同期して
    再生される副映像パックを含むデータユニットのアドレスが同期情
    報として記述され」の限定は、明細書にその補正の根拠があるもの
    である。
    　
    （２．２）詳細な説明に関する訂正に関して
    　訂正事項ｇについて、
    明細書の【課題を解決するための手段】の欄の全文の訂正は、特許
    請求の範囲第１項の訂正に伴う訂正であって、新規事項の追加に当
    たらない。
    　
    （３）　独立特許要件
    （３．１）訂正明細書の請求項１乃至４に係る発明の要旨について
    訂正明細書の請求項１乃至４に係る発明は、その特許請求の範囲に
    記載された次の事項により特定される下記の通りのものである。
    「（請求項１）　再生対象としての多数のデータ・ユニットが記録
    され、この各データ・ユニットが一定時間期間内に再生される再生
    単位として定められ、その先頭に配置されたナビゲーション・デー
    タ・パック並びにこれに続いて配置されたビデオ、オーディオ及び
    副映像データ・パックを含み、そのそれぞれが同一のパック長を有
    するデータ・パック列から構成され、このデータ・ユニットが多数
    記録されている再生対象領域及び１又は複数のデータ・ユニットの
    集合として規定されるセルの再生順序を規定するセル再生情報テー
    ブルが記録されている再生情報領域であって、セル再生情報テーブ
    ルが各セルを構成する最初のデータユニットの開始アドレス及び最
    後のデータユニットの開始アドレスが記録されている再生情報領域
    を有している光ディスクにおいて、
    前記ビデオ・オーディオ及び副映像データ・パックは、それぞれ１
    つのパック・ヘッダ及び１つのデータ・パケットから構成され、前
    記ビデオ・パケットには、ＭＰＥＧ規格に準拠するビデオ・ストリ
    ームのデータが格納され、
    　前記ナビゲーション・データ・パックは、ＰＣＩパケット及びＤ
    ＳＩパケットを含み、
    前記ＰＣＩパケットは、パケット・ヘッダ、これに続くサブ・スト
    リームＩＤ領域及びＰＣＩパケット・データ領域を具備し、前記Ｐ
    ＣＩパケット・データ領域には、前記データ・パックダリの再現を
    制御するＰＣＩパケット・データが格納され、このＰＣＩパケッ
    ト・データは、当該ＰＣＩパケット・データが含まれる前記デー
    タ・ユニット内のビデオデータの再生開始時間及び再生終了時間を
    含み、前記パケット・ヘッダには、前記ＰＣＩパケット・データが
    ＭＰＥＧ規格で定められたプライベート・ストリーム２に属する旨
    を示すストリームＩＤが記録され、前記サブ・ストリームＩＤ領域
    には、前記ＰＣＩパケット・データを識別するサブ・ストリームＩ
    Ｄが記録され、　
    前記ＤＳ１・パケットは、パケット・ヘッダ、これに続くサブ・ス
    トリームＩＤ領域及びＤＳＩパケットデータ領域を具備し、前記Ｄ
    ＳＩパケット．データ領域には、前記データ・ユニットを検索する
    ＤＳＩパケット・データが格納され、このＤＳＩパケット・データ
    は、当該ＤＳＩパケット・データが含まれるナビゲーション・デー
    タ・パックのスタート・アドレス及び当該ＤＳＩパケット・データ
    が含まれるデータ・ユニットの最終パックのアドレスを含み、前記
    パケット・ヘッダには、前記ＤＳＩパケット・データがＭＰＥＧ規
    格で定められたプライベート・ストリーム２に属する旨を示すスト
    リームＩＤが記録され、前記サプ・ストリームＩＤ領域には、前記
    ＤＳＩパケット・データを識別するサプ・ストリームＩＤが記録さ
    れ、
    　前記オーディオ・パックのデータ・パケットは、パケット・ヘッ
    ダ、これに続くサブ・ストリームＩＤ領域及びパケット・データ領
    域を具備し、このパケット・データ領域には、ＭＰＥＧオーディ
    オ・ストリーム以外のストリームに属するオーディオ・パケット・
    データが格納され、前記パケット・ヘッダには、前記パケット・デ
    ータがＭＰＥＧ規格に定められたプライベート・ストリーム１に属
    するデータである旨を示すストリームＩＤが記録され、前記サブ・
    ストリームＩＤ領域には、前記パケット・データが特定のオーディ
    オ・ストリームに属するオーディオ・データである旨を示している
    サブ・ストリームＩＤが記録され、
    　前記副映像パックのデータ・パケットは、パケット・ヘッダ、こ
    れに続くサブ・ストリームＩＤ領域及びパケット・データ領域を具
    備し、このパケット・データ領域には、ＭＰＥＧビデオ・ストリー
    ム以外の副映像ストリームに属する副映像パケット・データが格納
    され、前記パケット・ヘッダには、前記パケット・データがＭＰＥ
    Ｇ規格に定められたプライベート・ストリーム１に属するデータで
    ある旨を示すストリームＩＤが記録され、前記サブ・ストリームＩ
    Ｄ領域には、前記パケット・データが特定のデータ・ストリームに
    属する副映像データである旨を示しているサブ・ストリームＩＤが
    記録されていることを特徴とする光ディスク。
    （請求項２）　前記ビデオ・オーディオ・副映像パックは、１論理
    セクタに定められた同一のパック長を有し、１論理セクタは、２０
    ４８バイトの１物理セクタに等しく定められていることを特徴とす
    る請求項１の光ディスク。
    （請求項３）　前記パックのパック長が２０４８バイトに満たない
    場合、その満たないバイト数が６バイト以下の場合、前記パック・
    ヘッダにスタッフィング・バイトが追加されて前記パックのパック
    長が２０４８バイトに調整され、また、その満たないバイト数が７
    バイト以上の場合、前記パック・ヘッダに１バイトのスタッフィン
    グ・バイトが追加され、パケットにその不足バイト数に対応するパ
    ディング・パケットが追加されて前記パックのパック長が２０４８
    バイトに調整されることを特徴とする請求項２の光ディスク。
    （請求項４）　前記副映像及びオーディオ・パックのデータ・パケ
    ットにおける前記サブ・ストリームＩＤ領域には、前記サブ・スト
    リームＩＤに続いてそのストリーム番号が記載され、前記ＤＳＩパ
    ケット・データには、当該データ・ユニットに含まれるビデオ・デ
    ータに同期して再生されるオーディオ・データ・パックのアドレス
    及び前記ビデオ・データに同期して再生される副映像パックを含む
    データユニットのアドレスが同期情報として記述されていることを
    特徴とする請求項１の光ディスク。
    　
    （３．２）引用例記載の発明について
    当審が取消理由通知において示した引用例は、以下の通りである。
    １．第１引用例（特開平８ー３３９６３７号公報）、
    ２．第２引用例（特許願７ー８５６９３号の明細書及び図面）、
    ３．第３引用例（「最新ＭＰＥＧ教科書」、アスキー、１９９４年
    ８月１日発行）、
    ４．第４引用例（「図解コンパクトディスク読本」、オーム社、１
    ９８２年１１月２５日発行、異議の証拠の甲第５号証）
    （３．２．１）第１号引用例及び第２引用例について
    　第１引用例は本件特許の優先権主張の基礎になった特許出願の公
    開公報であり、第２引用例は第１引用例の優先権主張の基礎になっ
    た特許出願の内容を記載した明細書及び図面である。従って、第１
    引用例は、正確には、それ自身で引用例になりうるものではなく、
    第１引用例と第２引用例とを組み合わせて、第１引用例の内容のう
    ち第２引用例に記載された技術的事項が本件特許出願前に公知にな
    った（この点については後記（４）の通りである）もの、換言すれ
    ば、第１引用例と第２引用例の共通の部分は公知になったものとし
    て扱うべきものである。
    　
    （３．２．１．１）第１引用例の記載について
    段落００４１および図６には、再生対象としての多数のデータ・ユ
    ニットＶＯＢＵが記載されている。これらデータ・ユニットは、先
    頭にナビゲーション・データ・パックを、これに続いてビデオ、オ
    ーディオ及び副映像データ・パックを含むデータ・パック列を有す
    る点が記載されている。
    段落００８１および図２６には、ビデオ・オーディオ及び副映像デ
    ータ・パックがそれぞれ１つのパック・ヘッダ及び１つのデータ・
    パケットから構成され、そのビデオ・パケットには、ＭＰＥＧ規格
    に準拠するビデオ・ストリームのデータが格納されることが記載さ
    れている。
    段落０１０５および図３７（ａ）、段落０１０６および図３７（
    ｂ）には、オーディオ・パックのデータ・パケットが、パケット・
    ヘッダ、これに続くサブ・ストリームＩＤ領域及びオーディオデー
    タが格納可能なデータ領域（パケット・データ領域に相当する）を
    具備することが記載されている。
    段落０１０５および図３７（ａ）、段落０１０６および図３７（
    ｂ）には、オーディオデータが格納可能なデータ領域には、ＭＰＥ
    Ｇオーディオ・ストリーム以外のストリーム（ドルビーＡＣ３ある
    いはリニアＰＣＭ）に属するオーディオ・パケット・データが格納
    されることが記載されている。
    段落０１０８には、パケット・ヘッダには、パケット・データがＭ
    ＰＥＧ規格に定められたプライベート・ストリーム１に属するデー
    タである旨を示すストリームＩＤが記録されることが記載されてい
    る。
    段落０１０９、段落０１１０には、サブ・ストリームＩＤ領域に
    は、パケット・データが特定のオーディオ・ストリームに属するオ
    ーディオ・データである旨を示しているサブ・ストリームＩＤ（Ａ
    Ｃ３ストリームを示すコードあるいはリニアＰＣＭストリームを示
    すコード）が記録されることが記載されている。
    段落０１１２および図３８には、副映像パックのデータ・パケット
    は、パケット・ヘッダ、これに続くサブ・ストリームＩＤ領域及び
    パケット・データ領域を具備することが記載されている。
    段落００８０には、副映像パックのデータ・パケットは、パケッ
    ト・へツダ、これに続くサブ・ストリームＩＤ領域及びパケット・
    データ領域を具備することが記載されている。
    段落０１１４、段落０１１９、段落０１２７、図４１には、パケッ
    ト・データ領域の副映像データがプライベートストリーム１である
    場合が記載されている。段落０００５に記載されているように、プ
    ライベートストリーム１はＭＰＥＧビデオ・ストリーム以外のスト
    リームを表すので、副映像パックのデータ・パケットにおけるパケ
    ット・データ領域には、ＭＰＥＧビデオ・ストリーム以外の副映像
    ストリームに属する副映像パケット・データが格納されている。パ
    ケット・ヘッダには、パケット・データがＭＰＥＧ規格に定められ
    たプライベート・ストリーム１に属するデータである旨を示すスト
    リームＩＤが記録される。
    段落０１１３、図４１には、サブ・ストリームＩＤ領域には、パケ
【異議決定日】
平成１２年４月２５日（２０００．４．２５）
【訂正の要旨】
（３）　訂正の要旨
▲１▼訂正事項ａ
　特許請求の範囲第１項に係る記載
　「再生対象としての多数のデータ・ユニットが記録され、このデータ・ユニットがその先頭に配置されたナビゲーション・データ・パック、」を
　「再生対象としての多数のデータ・ユニットが記録され、この
各
一定時間期間内に再生される再生単位として定められ、
▲２▼訂正事項ｂ
　特許請求の範囲第１項に係る記載
　「これに続いて配置されたビデオ、オーディオ及び副映像データ・パックを含むデータ・パック列から構成されている光ディスクにおいて、」を
　「これに続いて配置されたビデオ、オーディオ及び副映像データ・パックを含み
、そのそれぞれが同一のパック長を有する
、このデータ・ユニットが多数記録されている再生対象領域及び１又は複数のデータ・ユニットの集合として規定されるセルの再生順序を規定するセル再生情報テーブルが記録されている再生情報領域であって、セル再生情報テーブルが各セルを構成する最初のデータ・ユニットの開始アドレス及び最後のデータ・ユニットの開始アドレスが記録されている再生情報領域を有し
▲３▼訂正事項ｃ
　特許請求の範囲第１項に係る記載
　「前記ナビゲーション・データ・パックは、第１及び第２のデータ・パケットを含み、」を
　「前記ナビゲーション・データ・パックは、
ＰＣＩパケット
ＤＳＩ
▲４▼訂正事項ｄ
　特許請求の範囲第１項に係る記載
　「　前記第１のデータ・パケットは、パケット・ヘッダ、これに続くサブ・ストリームＩＤ領域及び第１のパケット・データ領域を具備し、前記第１のパケット・データ領域には、前記データ・．パック列の再現を制御する第１のパケット・データが格納され、前記パケット・ヘッダには、前記第１のパケット・データがＭＰＥＧ規格で定められたプライベート・ストリーム２に属する旨を示すストリームＩＤが記録され、前記サブ・ストリームＩＤ領域には、前記第１のパケット・データを識別するサブ・ストリームＩＤが記録され、」を
　「　前記
ＰＣＩ
ＰＣＩ
ＰＣＩ
このＰＣＩパケット・データは、当該ＰＣＩパケット・データが含まれる前記データ・ユニット内のビデオデータの再生開始時間及び再生終了時間を含み、
ＰＣＩ
ＰＣＩ
▲５▼訂正事項ｅ
　特許請求の範囲第１項に係る記載
　「　前記第２のデータ・パケットは、パケット・ヘッダ、これに続くサブ・ストリームＩＤ領域及び第２のパケット・データ領域を具備し、前記第の２パケット・データ領域には、前記データ・ユニットを検索する第２のパケット・データが格納され、前記パケット・ヘッダには、前記第２のパケット・データがＭＰＥＧ規格で定められたプライベート・ストリーム２に属する旨を示すストリームＩＤが記録され、前記サブ・ストリームＩＤ領域には、前記第２のパケット・データを識別するサブ・ストリームＩＤが記録され、」を
　「　前記
ＤＳＩ
ＤＳＩ
ＤＳＩ
ＤＳＩ
このＤＳＩパケット・データは、当該ＤＳＩパケット・データが含まれるナビゲーション・データ・パックのスタート・アドレス及び当該ＤＳＩパケット・データが含まれるデータ・ユニットの最終パックのアドレスを含み、
ＤＳＩ
ＤＳＩ
▲６▼訂正事項ｆ
　特許請求の範囲第４項に係る記載
　「前記副映像及びオーディオ・パックのデータ・パケットにおける前記サブ・ストリームＩＤ領域には、前記サブ・ストリームＩＤに続いてそのストリーム番号が記載されていることを特徴とする請求項１の光ディスク。」を
　「前記副映像及びオーディオ・パックのデータ・パケットにおける前記サブ・ストリームＩＤ領域には、前記サブ・ストリームＩＤに続いてそのストリーム番号が記載され
、前記ＤＳＩパケット・データには、当該データ・ユニットに含まれるビデオ・データに同期して再生されるオーディオ・データ・パックのアドレス及び前記ビデオ・データに同期して再生される副映像パックを含むデータ・ユニットのアドレスが同期情報として記述され
▲７▼訂正事項ｇ
明細書の【課題を解決するための手段】の欄の全文
　「この発明によれば、
　再生対象としての多数のデータ・ユニットが記録され、このデータ・ユニットがその先頭に配置されたナビゲーション・データ・パック並びにこれに続いて配置されたビデオ、オーディオ及び副映像データ・パックを含むデータ・パック列から構成されている光ディスクにおいて、
　前記ビデオ・オーディオ及び副映像データ・パックは、それぞれ１つのパック・ヘッダ及び１つのデータ・パケットから構成され、前記ビデオ・パケットには、ＭＰＥＧ規格に準拠するビデオ・ストリームのデータが格納され、
　前記ナビゲーション・データ・パックは、第１の及び第２のパケットを含み、
　前記第１のデータ・パケットは、パケット・ヘッダ、これに続くサブ・ストリームＩＤ領域及び第１のパケット・データ領域を具備し、前記第１のパケット・データ領域には、前記データ・パック列の再現を制御する第の第１のパケット・データが格納され、前記パケット・ヘッダには、前記第１のパケット・データがＭＰＥＧ規格で定められたプライベート・ストリーム２に属する旨を示すストリームＩＤが記録され、前記サブ・ストリームＩＤ領域には、前記第１のパケット・データを識別するサブ・ストリームＩＤが記録され、
　前記第２のデータ・パケットは、パケット・ヘッダ、これに続くサブ・ストリームＩＤ領域及び第２のパケットデータ領域を具備し、前記第２のパケット・データ領域には、前記データ・ユニットを検索する第２のパケット・データが格納され、前記パケット・ヘッダには、前記第２のパケット・データがＭＰＥＧ規格で定められたプライベート・ストリーム２に属する旨を示すストリームＩＤが記録され、前記サブ・ストリームＩＤ領域には、前記第２のパケット・データを識別するサブ・ストリームＩＤが記録され、
　前記オーディオ・パックのデータ・パケットは、パケット・ヘッダ、これに続くサブ・ストリームＩＤ領域及びパケット・データ領域を具備し、このパケット・データ領域には、ＭＰＥＧオーディオ・ストリーム以外のストリームに属するオーディオ・パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のオーディオ・ストリームに属するオーディオ・データである旨を示しているサブ・ストリームＩＤが記録され、
　前記副映像パックのデータ・パケットは、パケット・ヘッダ、これに続くサブ・ストリームＩＤ領域及びパケット・データ領域を具備し、このパケット・データ領域には、ＭＰＥＧビデオ・ストリーム以外の副映像ストリームに属する副映像パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のデータ・ストリームに属する副映像データである旨を示しているサブ・ストリームＩＤが記録されていることを特徴とする光ディスクが提供される。」を
　「　この発明によれば、
　再生対象としての多数のデータ・ユニットが記録され、この
各
一定時間期間内に再生される再生単位として定められ、
、そのそれぞれが同一のパック長を有する
、このデータ・ユニットが多数記録されている再生対象領域及び１又は複数のデータ・ユニットの集合として規定されるセルの再生順序を規定するセル再生情報テーブルが記録されている再生情報領域であって、セル再生情報テーブルが各セルを構成する最初のデータ・ユニットの開始アドレス及び最後のデータ・ユニットの開始アドレスが記録されている再生情報領域を有し
　前記ビデオ・オーディオ及び副映像データ・パックは、それぞれ１つのパック・ヘッダ及び１つのデータ・パケットから構成され、前記ビデオ・パケットには、ＭＰＥＧ規格に準拠するビデオ・ストリームのデータが格納され、
　前記ナビゲーション・データ・パックは、
ＰＣＩパケット
ＤＳＩ
　前記
ＰＣＩ
ＰＣＩ
ＰＣＩ
ＰＣＩ
このＰＣＩパケット・データは、当該ＰＣＩパケット・データが含まれる前記データ・ユニット内のビデオデータの再生開始時間及び再生終了時間を含み、
ＰＣＩ
ＰＣＩ
　前記
ＤＳＩ
ＤＳＩ
ＤＳＩ
ＤＳＩ
このＤＳＩパケット・データは、当該ＤＳＩパケット・データが含まれるナビゲーション・データ・パックのスタート・アドレス及び当該ＤＳＩパケット・データが含まれるデータ・ユニットの最終パックのアドレスを含み、
ＤＳＩ
ＤＳＩ
　前記オーディオ・パックのデータ・パケットは、パケット・ヘッダ、これに続くサブ・ストリームＩＤ領域及びパケット・データ領域を具備し、このパケット・データ領域には、ＭＰＥＧオーディオ・ストリーム以外のストリームに属するオーディオ・パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のオーディオ・ストリームに属するオーディオ・データである旨を示しているサブ・ストリームＩＤが記録され、
　前記副映像パックのデータ・パケットは、パケット・ヘッダ、これに続くサブ・ストリームＩＤ領域及びパケット・データ領域を具備し、このパケット・データ領域には、ＭＰＥＧビデオ・ストリーム以外の副映像ストリームに属する副映像パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のデータ・ストリームに属する副映像データである旨を示しているサブ・ストリームＩＤが記録されていることを特徴とする光ディスクが提供される。」に訂正する。
（５４）【発明の名称】
記録媒体
（５７）【特許請求の範囲】
　【請求項１】
　再生対象としての多数のデータ・ユニットが記録され、この
各
一定時間期間内に再生される再生単位として定められ、
、そのそれぞれが同一のパック長を有する
、このデータ・ユニットが多数記録されている再生対象領域及び１又は複数のデータ・ユニットの集合として規定されるセルの再生順序を規定するセル再生情報テーブルが記録されている再生情報領域であって、セル再生情報テーブルが各セルを構成する最初のデータユニットの開始アドレス及び最後のデータユニットの開始アドレスが記録されている再生情報領域を有し
　前記ビデオ・オーディオ及び副映像データ・パックは、それぞれ１つのパック・ヘッダ及び１つのデータ・パケットから構成され、前記ビデオ・パケットには、ＭＰＥＧ規格に準拠するビデオ・ストリームのデータが格納され、
　前記ナビゲーション・データ・パックは、
ＰＣＩパケット
ＤＳＩ
　前記
ＰＣＩ
ＰＣＩ
ＰＣＩ
ＰＣＩ
このＰＣＩパケット・データは、当該ＰＣＩパケット・データが含まれる前記データ・ユニット内のビデオデータの再生開始時間及び再生終了時間を含み、
ＰＣＩ
ＰＣＩ
　前記
ＤＳＩ
ＤＳＩ
ＤＳＩ
ＤＳＩ
このＤＳＩパケット・データは、当該ＤＳＩパケット・データが含まれるナビゲーション・データ・パックのスタート・アドレス及び当該ＤＳＩパケット・データが含まれるデータ・ユニットの最終パックのアドレスを含み、
ＤＳＩ
ＤＳＩ
　前記オーディオ・パックのデータ・パケットは、パケット・ヘッダ、これに続くサブ・ストリームＩＤ領域及びパケット・データ領域を具備し、このパケット・データ領域には、ＭＰＥＧオーディオ・ストリーム以外のストリームに属するオーディオ・パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のオーディオ・ストリームに属するオーディオ・データである旨を示しているサブ・ストリームＩＤが記録され、
　前記副映像パックのデータ・パケットは、パケット・ヘッダ、これに続くサブ・ストリームＩＤ領域及びパケット・データ領域を具備し、このパケット・データ領域には、ＭＰＥＧビデオ・ストリーム以外の副映像ストリームに属する副映像パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のデータ・ストリームに属する副映像データである旨を示しているサブ・ストリームＩＤが記録されていることを特徴とする光ディスク。
　【請求項２】
　前記ビデオ・オーディオ・副映像パックは、１論理セクタに定められた同一のパック長を有し、１論理セクタは、２０４８バイトの１物理セクタに等しく定められていることを特徴とする請求項１の光ディスク。
　【請求項３】
　前記パックのパック長が２０４８バイトに満たない場合、その満たないバイト数が６バイト以下の場合、前記パック・ヘッダにスタッフィング・バイトが追加されて前記パックのパック長が２０４８バイトに調整され、また、その満たないバイト数が７バイト以上の場合、前記パック・ヘッダに１バイトのスタッフィング・バイトが追加され、パケットにその不足バイト数に対応するパディング・パケットが追加されて前記パックのパック長が２０４８バイトに調整されることを特徴とする請求項２の光ディスク。
　【請求項４】
　前記副映像及びオーディオ・パックのデータ・パケットにおける前記サブ・ストリームＩＤ領域には、前記サブ・ストリームＩＤに続いてそのストリーム番号が記載され
、前記ＤＳＩパケット・データには、当該データ・ユニットに含まれるビデオ・データに同期して再生されるオーディオ・データ・パックのアドレス及び前記ビデオ・データに同期して再生される副映像パックを含むデータユニットのアドレスが同期情報として記述され
【発明の詳細な説明】
　【発明の属する技術分野】
　この発明は、圧縮された動画データや音声データ等の目的や種類の違うデータを記録する光ディスク等の記録媒体に関する。
　【従来の技術】
　従来、ディジタル動画像データや音声データを圧縮（符号化）する方式として、ＭＰＥＧ（Ｍｏｖｉｎｇ　Ｐｉｃｔｕｒｅ　Ｅｘｐｅｒｔｓ　Ｇｒｏｕｐ）方式が国際標準化されるに至っている。このＭＰＥＧ圧縮方式はディジタル動画像データ（映像データ）や音声データを可変長圧縮する方式である。
　これに伴って、ＭＰＥＧ圧縮方式に対応したシステムフォーマット方式もＭＰＥＧシステムレイヤとして規定されている。
　このＭＰＥＧシステムレイヤは、通信系で扱い易いように規定されており、動画、音声、その他のデータを同期して転送かつ再生できるように、それぞれのデータに基準時刻を用いて表現した転送開始時刻と再生開始時刻が規定されている。
　また、上記ＭＰＥＧシステムレイヤでは、動画圧縮データストリーム（ＭＰＥＧ動画データ）と音声圧縮データストリーム（ＭＰＥＧオーディオデータ）をストリームＩＤで、データ種別を規定しているが、そのほかのデータ種別に関しては、プライベートストリームとして、ユーザに解放する形をとっている。
　しかしながら、これでは、ユーザが付け加える事ができるデータ種別が２種類しかサポートできず、拡張性を狭めている。
　これでは、さまざまな種類のデータを自由に扱う事ができず、マルチメディア時代に対応する事ができないという欠点がある。
　また、ＭＰＥＧオーディオデータ以外のオーディオデータにおいて、パケット長の最大のデータ長が決められている場合、完結したフレームデータブロックのデータ数で上記パケットのデータ長が割り切れない場合に、パケット内に前のデータブロックが入ったりして、このフレームデータブロックの開始アドレスがわからない可能性があり、途中で再生する場合に、再生できない可能性があるという欠点がある。
　【発明が解決しようとする課題】
　この発明は、さまざまな種別データを複数種類取り扱うことができることを目的としている。
　また、取り扱うデータがリニアオーディオデータの場合には、途中からの再生がスムーズにでき、コンピュータデータの時には、使用できる環境が簡単に検出できることを目的としている。
　【課題を解決するための手段】
　この発明によれば、
　再生対象としての多数のデータ・ユニットが記録され、この各データ・ユニットが一定時間期間内に再生される再生単位として定められ、その先頭に配置されたナビゲーション・データ・パック並びにこれに続いて配置されたビデオ、オーディオ及び副映像データ・パックを含み、そのそれぞれが同一のパック長を有するデータ・パック列から構成され、このデータ・ユニットが多数記録されている再生対象領域及び１又は複数のデータ・ユニットの集合として規定されるセルの再生順序を規定するセル再生情報テーブルが記録されている再生情報領域であって、セル再生情報テーブルが各セルを構成する最初のデータ・ユニットの開始アドレス及び最後のデータ・ユニットの開始アドレスが記録されている再生情報領域を有している光ディスクにおいて、
　前記ビデオ・オーディオ及び副映像データ・パックは、それぞれ１つのパック・ヘッダ及び１つのデータ・パケットから構成され、前記ビデオ・パケットには、ＭＰＥＧ規格に準拠するビデオ・ストリームのデータが格納され、
　前記ナビゲーション・データ・パックは、ＰＣＩパケット及びＤＳＩパケットを含み、
　前記ＰＣＩパケットは、パケット・ヘッダ、これに続くサブ・ストリームＩＤ領域及びＰＣＩパケット・データ領域を具備し、前記ＰＣＩパケット・データ領域には、前記データ・パック列の再現を制御するＰＣＩパケット・データが格納され、このＰＣＩパケット・データは、当該ＰＣＩパケット・データが含まれる前記データ・ユニット内のビデオデータの再生開始時間及び再生終了時間を含み、前記パケット・ヘッダには、前記ＰＣＩパケット・データがＭＰＥＧ規格で定められたプライベート・ストリーム２に属する旨を示すストリームＩＤが記録され、前記サブ・ストリームＩＤ領域には、前記ＰＣＩパケット・データを識別するサブ・ストリームＩＤが記録され、
　前記ＤＳＩ・パケットは、パケット・ヘッダ、これに続くサブ・ストリームＩＤ領域及びＤＳＩパケットデータ領域を具備し、前記ＤＳＩパケット・データ領域には、前記データ・ユニットを検索するＤＳＩパケット・データが格納され、このＤＳＩパケット・データは、当該ＤＳＩパケット・データが含まれるナビゲーション・データ・パックのスタート・アドレス及び当該ＤＳＩパケット・データが含まれるデータ・ユニットの最終パックのアドレスを含み、前記パケット・ヘッダには、前記ＤＳＩパケット・データがＭＰＥＧ規格で定められたプライベート・ストリーム２に属する旨を示すストリームＩＤが記録され、前記サブ・ストリームＩＤ領域には、前記ＤＳＩパケット・データを識別するサブ・ストリームＩＤが記録され、
　前記オーディオ・パックのデータ・パケットは、パケット・ヘッダ、これに続くサブ・ストリームＩＤ領域及びパケット・データ領域を具備し、このパケット・データ領域には、ＭＰＥＧオーディオ・ストリーム以外のストリームに属するオーディオ・パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のオーディオ・ストリームに属するオーディオ・データである旨を示しているサブ・ストリームＩＤが記録され、
　前記副映像パックのデータ・パケットは、パケット・ヘッダ、これに続くサブ・ストリームＩＤ領域及びパケット・データ領域を具備し、このパケット・データ領域には、ＭＰＥＧビデオ・ストリーム以外の副映像ストリームに属する副映像パケット・データが格納され、前記パケット・ヘッダには、前記パケット・データがＭＰＥＧ規格に定められたプライベート・ストリーム１に属するデータである旨を示すストリームＩＤが記録され、前記サブ・ストリームＩＤ領域には、前記パケット・データが特定のデータ・ストリームに属する副映像データである旨を示しているサブ・ストリームＩＤが記録されていることを特徴とする光ディスクが提供される。
　【発明の実施の形態】
　以下、図面を参照してこの発明の実施例に係る光ディスク再生装置を説明する。
　図１は、この発明の一実施例に係る光ディスクからデータを再生する光ディスク再生装置のブロックを示し、図２は、図１に示された光ディスクをドライブするディスクドライブ部のブロックを示し、図３は、図１及び図２に示した光ディスクの構造を示している。
　図１に示すように光ディスク再生装置は、キー操作／表示部４、モニター部６及びスピーカー部８を具備している。ここで、ユーザがキー操作／表示部４を操作することによって光ディスク１０から記録データが再生される。記録データは、映像データ、副映像データ及び音声データを含み、これらは、ビデオ信号及びオーディオ信号に変換される。モニタ部６は、ビデオ信号によって映像を表示し、スピーカ部８は、オーディオ信号によって音声を発生している。
　既に知られるように光ディスク１０は、種々の構造がある。この光ディスク１０には、例えば、図３に示すように、高密度でデータが記録される読み出し専用ディスクがある。図３に示されるように光ディスク１０は、一対の複合層１８とこの複合ディスク層１８間に介挿された接着層２０とから構成されている。この各複合ディスク層１８は、透明基板１４及び記録層、即ち、光反射層１６から構成されている。このディスク層１８は、光反射層１６が接着層２０の面上に接触するように配置される。この光ディスク１０には、中心孔２２が設けられ、その両面の中心孔２２の周囲には、この光ディスク１０をその回転時に押さえる為のクランピング領域２４が設けられている。中心孔２２には、光ディスク装置にディスク１０が装填された際に図２に示されたスピンドルモータ１２のスピンドルが挿入され、ディスクが回転される間、光ディスク１０は、そのクランピング領域２４でクランプされる。
　図３に示すように、光ディスク１０は、その両面のクランピング領域２４の周囲に光ディスク１０に情報を記録することができる情報領域２５を有している。各情報領域２５は、その外周領域が通常は情報が記録されないリードアウト領域２６に、また、クランピング領域２４に接するその内周領域が同様に、通常は情報が記録されないリードイン領域２７に定められ、更に、このリードアウト領域２６とリードイン領域２７との間がデータ記録領域２８に定められている。
　情報領域２５の記録層１６には、通常、データが記録される領域としてトラックがスパイラル状に連続して形成され、その連続するトラックは、複数の物理的なセクタに分割され、そのセクタには、連続番号が付され、このセクタを基準にデータが記録されている。情報記録領域２５のデータ記録領域２８は、実際のデータ記録領域であって、後に説明するように再生情報、ビデオデータ、副映像データ及びオーディオデータが同様にピット（即ち、物理的状態の変化）として記録されている。読み出し専用の光ディスク１０では、透明基板１４にピット列が予めスタンパーで形成され、このピット列が形成された透明基板１４の面に反射層が蒸着により形成され、その反射層が記録層１６として形成されることとなる。また、この読み出し専用の光ディスク１０では、通常、トラックとしてのグルーブが特に設けられず、透明基板１４の面に形成されるピット列がトラックとして定められている。
　このような光ディスク装置１２は、図１に示されるように更にディスクドライブ部３０、システムＣＰＵ部５０、システムＲＯＭ／ＲＡＭ部５２、システムプロッセッサ部５４、データＲＡＭ部５６、ビデオデコータ部５８、オーディオデコーダ部６０、副映像デコーダ部６２及びＤ／Ａ及びデータ再生部６４から構成されている。システムプロッセッサ部５４は、システムタイムクロック５４Ａ及びレジスタ５４Ｂを備え、また、ビデオデコータ部５８、オーディオデコーダ部６０及び副映像デコーダ部６２は、同様にシステムタイムクロック（ＳＴＣ）５８Ａ、６０Ａ、６２Ａを備えている。
　図２に示すようにディスクドライブ部３０は、モータドライブ回路１１、スピンドルモータ１２、光学ヘッド３２（即ち、光ピックアップ）、フィードモータ３３、フォーカス回路３６、フィードモータ駆動回路３７、トラッキング回路３８、ヘッドアンプ４０及びサーボ処理回路４４を具備している。光ディスク１０は、モータ駆動回路１１によって駆動されるスピンドルモータ１２上に載置され、このスピンドルモータ１２によって回転される。光ディスク１０にレーザビームを照射する光学ヘッド３２が光ディスク１０の下に置かれている。また、この光学ヘッド３２は、ガイド機構（図示せず）上に載置されている。フィードモータ駆動回路３７がフィードモータ３３に駆動信号を供給する為に設けられている。モータ３３は、駆動信号によって駆動されて光学ヘッド３２を光ディスク１０の半径方向に移動している。光学ヘッド３２は、光ディスク１０に対向される対物レンズ３４を備えている。対物レンズ３４は、フォーカス回路３６から供給される駆動信号に従ってその光軸に沿って移動される。
　上述した光ディスク１０からデータを再生するには、光学ヘッド３２が対物レンズ３４を介してレーザビームを光ディスク１０に照射される。この対物レンズ３４は、トラッキング回路３８から供給された駆動信号に従って光ディスク１０の半径方向に微動される。また、対物レンズ３４は、その焦点が光ディスク１０の記録層１６に位置されるようにフォーカシング回路３６から供給された駆動信号に従ってその光軸方向に沿って微動される。その結果、レーザビームは、最小ビームスポットをスパイラルトラック（即ち、ピット列）上に形成され、トラックが光ビームスポットで追跡される。レーザビームは、記録層１６から反射され、光学ヘッド３２に戻される。光ヘッド３２では、光ディスク１０から反射された光ビームを電気信号に変換し、この電気信号は、光ヘッド３２からヘッドアンプ４０を介してサーボ処理回路４４に供給される。サーボ処理回路４４では、電気信号からフォーカス信号、トラッキング信号及びモータ制御信号を生成し、これらの信号を夫々フォーカス回路３６、トラッキング回路３８、モータ駆動回路１１に供給している。
　従って、対物レンズ３４がその光軸及び光ディスク１０の半径方向に沿って移動され、その焦点が光ディスク１０の記録層１６に位置され、また、レーザビームが最小ビームスポットをスパイラルトラック上に形成する。また、モータ駆動回路１１によってスピンドルモータ１２が所定の回転数で回転される。その結果、光ディスク１０のピット列が光ビームで、例えば、線速一定で追跡される。
　図１に示されるシステムＣＰＵ部５０からアクセス信号としての制御信号がサーボ処理回路４４に供給される。この制御信号に応答してサーボ処理回路４４からヘッド移動信号がフィードモータ駆動回路３７に供給されてこの回路３７が駆動信号をフィードモータ３３に供給することとなる。従って、フィードモータ３３が駆動され、光ヘッド３２が光ディスク１０の半径方向に沿って移動される。そして、光学ヘッド３２によって光ディスク１０の記録層１６に形成された所定のセクタがアクセスされる。再生データは、その所定のセクタから再生されて光学ヘッド３２からヘッドアンプ４０に供給され、このヘッドアンプ４０で増幅され、ディスクドライブ部３０から出力される。
　出力された再生データは、システム用ＲＯＭ及びＲＡＭ部５２に記録されたプログラムで制御されるシステムＣＰＵ部５０の管理下でシステムプロセッサ部５４によってデータＲＡＭ部５６に格納される。この格納された再生データは、システムプロセッサ部５４によって処理されてビデオデータ、オーディオデータ及び副映像データに分類され、ビデオデータ、オーディオデータ及び副映像データは、夫々ビデオデコーダ部５８、オーディオデコーダ部６０及び副映像デコーダ部６２に出力されてデコードされる。デコードされたビデオデータ、オーディオデータ及び副映像データは、Ｄ／Ａ及び再生処理回路６４でアナログ信号としてのビデオ信号、オーディオ信号に変換されるとともにビデオ信号がモニタ６に、また、オーディオ信号がスピーカ部８に夫々供給される。その結果、ビデオ信号及び副映像信号によってモニタ部６に映像が表示されるとともにオーディオ信号によってスピーカ部８から音声が再現される。
　図１に示す光ディスク装置の詳細な動作については、次に説明する光ディスク１０の論理フォーマットを参照して後により詳細に説明する。
　図１に示される光ディスク１０のリードインエリア２７からリードアウトエリア２６までのデータ記録領域２８は、図４に示されるようなボリューム及びファイル構造を有している。この構造は、論理フォーマットとして特定の規格、例えば、マイクロＵＤＦ（ｍｉｃｒｏ　ＵＤＦ　）及びＩＳＯ９６６０に準拠されて定められている。データ記録領域２８は、既に説明したように物理的に複数のセクタに分割され、その物理的セクタには、連続番号が付されている。下記の説明で論理アドレスは、マイクロＵＤＦ（ｍｉｃｒｏ　ＵＤＦ　）及びＩＳＯ９６６０で定められるように論理セクタ番号（ＬＳＮ）を意味し、論理セクタは、物理セクタのサイズと同様に２０４８バイトであり、論理セクタの番号（ＬＳＮ）は、物理セクタ番号の昇順とともに連続番号が付加されている。
　図４に示されるようにこのボリューム及びファイル構造は、階層構造を有し、ボリューム及びファイル構造領域７０、ビデオマネージャー７１、少なくとも１以上のビデオタイトルセット７２及び他の記録領域７３を有している。これら領域は、論理セクタの境界上で区分されている。ここで従来のＣＤと同様に１論理セクタは、２０４８バイトと定義されている。同様に、１論理ブロックも２０４８バイトと定義され、従って、１論理セクタは、１論理ブロックと定義される。
　ファイル構造領域７０は、マイクロＵＤＦ及びＩＳＯ９６６０に定められる管理領域に相当し、この領域の記述を介してビデオマネージャー７１がシステムＲＯＭ／ＲＡＭ部５２に格納される。ビデオマネージャー７１には、図５を参照して説明するようにビデオタイトルセットを管理する情報が記述され、ファイル＃０から始まる複数のファイル７４から構成されている。また、各ビデオタイトルセット７２には、後に説明するように圧縮されたビデオデータ、オーディオデータ及び副映像データ及びこれらの再生情報が格納され、同様に複数のファイル７４から構成されている。ここで、複数のビデオタイトルセット７２は、最大９９個に制限され、また各ビデオタイトルセット７２を構成するファイル７４（Ｆｉｌｅ　＃ｊ　から　Ｆｉｌｅ　＃ｊ＋９）の数は、最大１０個に定められている。これらファイルも同様に論理セクタの境界で区分されている。
　他の記録領域７３には、上述したビデオタイトルセット７２を利用可能な情報が記録されている。この他の記録領域７３は、必ずしも設けられなくとも良い。
　図５に示すようにビデオマネージャー７１は、夫々が各ファイル７４に相当する３つの項目を含んでいる。即ち、ビデオマネージャー７１は、ビデオマネージャー情報（ＶＭＧＩ）７５、ビデオマネージャー情報メニューの為のビデオオブジェクトセット（ＶＭＧＭ＿ＶＯＢＳ）７６及びビデオマネージャー情報のバックアップ（ＶＭＧＩ＿ＢＵＰ）７７から構成されている。ここで、ビデオマネージャー情報（ＶＭＧＩ）７５及びビデオマネージャー情報のバックアップ７７（ＶＭＧＩ＿ＢＵＰ）７７は、必須の項目とされ、ビデオマネージャー情報メーユーの為のビデオオブジェクトセット（ＶＭＧＭ＿ＶＯＢＳ）７６は、オプションとされている。このＶＭＧＭ用のビデオオブジェクトセット（ＶＭＧＭ＿ＶＯＢＳ）７６には、ビデオマネージャー７１が管理する当該光ディスクのボリュームに関するメニューのビデオデータ、オーディオデータ及び副映像データが格納されている。
　このＶＭＧＭ用のビデオオブジェクトセット（ＶＭＧＭ＿ＶＯＢＳ）７６によって後に説明されるビデオの再生のように当該光ディスクのボリューム名、ボリューム名表示に伴う音声及び副映像の説明が表示されるとともに選択可能な項目が副映像で表示される。例えば、ＶＭＧＭ用のビデオオブジェクトセット（ＶＭＧＭ＿ＶＯＢＳ）７６によって当該光ディスクがあるボクサーのワールドチャンピョンに至るまでの試合を格納したビデオデータである旨、即ち、ボクサーＸの栄光の歴史等のボリューム名とともにボクサーＸのファイティングポーズがビデオデータで再生されるとともに彼のテーマソングが音声で再生され、副映像で彼の年表等が表示される。また、選択項目として試合のナレーションを英語、日本語等のいずれの言語を選択するかが問い合わされるとともに副映像で他の言語の字幕を表示するか、また、いずれの言語の字幕を選択するか否かが問い合わされる。このＶＭＧＭ用のビデオオブジェクトセット（ＶＭＧＭ＿ＶＯＢＳ）７６によってユーザは、例えば、音声は、英語で副映像として日本語の字幕を採用してボクサーＸの試合のビデオを鑑賞する準備が整うこととなる、
　ここで、図６を参照してビデオオブジェクトセット（ＶＯＢＳ）８２の構造について説明する。図６は、ビデオオブジェクトセット（ＶＯＢＳ）８２の一例を示している。このビデオオブジェクトセット（ＶＯＢＳ）８２には、２つのメニュー用及びタイトル用として３つのタイプのビデオオブジェクトセット（ＶＯＢＳ）７６、９５、９６がある。即ち、ビデオオブジェクトセット（ＶＯＢＳ）８２は、後に説明するようにビデオタイトルセット（ＶＴＳ）７２中にビデオタイトルセットのメニュー用ビデオオブジェクトセット（ＶＴＳＭ＿ＶＯＢＳ）９５及び少なくとも１つ以上のビデオタイトルセットのタイトルの為のビデオオブジェクトセット（ＶＴＳＴＴ＿ＶＯＢＳ）９６があり、いずれのビデオオブジェクトセット８２もその用途が異なるのみで同様の構造を有している。
　図６に示すようにビデオオブジェクトセット（ＶＯＢＳ）８２は、１個以上のビデオオブジェクト（ＶＯＢ）８３の集合として定義され、ビデオオブジェクトセット（ＶＯＢＳ）８２中のビデオオブジェクト８３は、同一の用途の供される。通常、メニュー用のビデオオブジェクトセット（ＶＯＢＳ）８２は、１つのビデオオブジェクト（ＶＯＢ）８３で構成され、複数のメニュー用の画面を表示するデータが格納される。これに対してタイトルセット用のビデオオブジェクトセット（ＶＴＳＴＴ＿ＶＯＢＳ）８２は、通常、複数のビデオオブジェクト（ＶＯＢ）８３で構成される。
　ここで、ビデオオブジェクト（ＶＯＢ）８３は、上述したボクシングのビデオを例にすれば、ボクサーＸの各試合の映像データに相当し、ビデオオブジェクト（ＶＯＢ）を指定することによって例えば、ワールドチャンピョンに挑戦する第１１戦をビデオで再現することができる。また、ビデオタイトルセット７２のメニュー用ビデオオブジェクトセット（ＶＴＳＮ＿ＶＯＢＳ）９５には、そのボクサーＸの試合のメニューデータが格納され、そのメニューの表示に従って、特定の試合、例えば、ワールドチャンピョンに挑戦する第１１戦を指定することができる。尚、通常の１ストーリの映画では、１ビデオオブジェクト（ＶＯＢ）８３が１ビデオオブジェクトセット（ＶＯＢＳ）８２に相当し、１ビデオストリームが１ビデオオブジェクトセット（ＶＯＢＳ）８２で完結することとなる。また、アニメ集、或いは、オムニバス形式の映画では、１ビデオオブジェクトセット（ＶＯＢＳ）８２中に各ストーリに対応する複数のビデオストリームが設けられ、各ビデオストリームが対応するビデオオブジェクトに格納されている。従って、ビデオストリームに関連したオーディオストリーム及び副映像ストリームも各ビデオオブジェクト（ＶＯＢ）８３中で完結することとなる。
　ビデオオブジェクト（ＶＯＢ）８３には、識別番号（ＩＤＮ＃ｊ）が付され、この識別番号によってそのビデオオブジェクト（ＶＯＢ）８３を特定することができる。ビデオオブジェクト（ＶＯＢ）８３は、１又は複数のセル８４から構成される。通常のビデオストリームは、複数のセルから構成されることとなるが、メニュー用のビデオストリーム、即ち、ビデオオブジェクト（ＶＯＢ）８３は、１つのセル８４から構成される場合もある。同様にセルには、識別番号（Ｃ＿ＩＤＮ＃ｊ）が付され、このセル識別番号（Ｃ＿ＩＤＮ＃ｊ）によってセル８４が特定される。
　図６に示すように各セル８４は、１又は複数のビデオオブジェクトユニット（ＶＯＢＵ）８５、通常は、複数のビデオオブジェクトユニット（ＶＯＢＵ）８５から構成される。ここで、ビデオオブジェクトユニット（ＶＯＢＵ）８５は、１つのナビゲーションパック（ＮＶパック）８６を先頭に有するパック列として定義される。即ち、ビデオオブジェクトユニット（ＶＯＢＵ）８５は、あるナビゲーションパック８６から次のナビゲーションパックの直前まで記録される全パックの集まりとして定義される。このビデオオブジェクトユニット（ＶＯＢＵ）の再生時間は、図６に示すようにビデオオブジェクトユニット（ＶＯＢＵ）中に含まれる単数又は複数個のＧＯＰから構成されるビデオデータの再生時間に相当し、その再生時間は、０．４秒以上であって１秒より大きくならないように定められる。ＭＰＥＧでは、１ＧＯＰは、通常０．５秒であってその間に１５枚程度の画像が再生する為の圧縮された画面データであると定められている。
　図６に示すようにビデオオブジェクトユニットがビデオデータを含む場合には、ＭＰＥＧ規格に定められたビデオパック（Ｖパック）８７、副映像パック（ＳＰパック）９０、及びオーディオパック（Ａパック）９１（コンピュータデータパック（Ｃパック）８８から構成されるＧＯＰが配列されてビデオデータストリームが構成されるが、このＧＯＰの数とは、無関係にＧＯＰの再生時間を基準にしてビデオオブジェクト（ＶＯＢＵ）８３が定められ、その先頭には、常にナビゲーションパック（ＮＶパック）８６が配列される。また、オーディオ及び／又は副映像データのみの再生データにあってもこのビデオオブジェクトユニットを１単位として再生データが構成される。即ち、オーディオパック９１のみでビデオオブジェクトユニットが構成されても、ビデオデータのビデオオブジェクトと同様にそのオーディオデータが属するビデオオブジェクトユニットの再生時間内に再生されるべきオーディオパック９１がそのビデオオブジェクトユニットに格納される。これらパックの再生の手順に関しては、ナビゲーションパック（ＮＶパック）８６とともに後に詳述する。
　再び図５を参照してビデオマネージャー７１について説明する。ビデオマネージャー７１の先頭に配置されるビデオマネージャー情報７５は、タイトルをサーチする為の情報、ビデオマネージャーメニューの再生の為の情報のようなビデオタイトルセット（ＶＴＳ）７２を管理する情報が記述され、図５に示す順序で少なくとも３つのテーブル７８、７９、８０が記録されている。この各テーブル７８、７９、８０は、論理セクタの境界に一致されている。第１のテーブルであるビデオマネージャー情報管理テーブル（ＶＭＧＩ＿ＭＡＴ）７８は、必須のテーブルであってビデオマネージャー７１のサイズ、このビデオマネージャー７１中の各情報のスタートアドレス、ビデオマネージャー情報メニュー用のビデオオブジェクトセット（ＶＭＧＭ＿ＶＯＢＳ）７６に関する属性情報等が記述されている。
　また、ビデオマネージャー７１の第２のテーブルであるタイトルサーチポインターテーブル（ＴＴＳＲＰＴ）７９には、装置のキー及び表示部４からのタイトル番号の入力に応じて選定可能な当該光ディスク１０中のボリュームに含まれるビデオタイトルのエントリープログラムチェーン（ＥＰＧＣ）が記載されている。
　ここで、プログラムチェーン１８７とは、図７に示すようにあるタイトルのストーリーを再現するプログラム１８９の集合であってプログラムチェーンが連続して再現されることによってある１タイトルの映画が完結される。従って、ユーザーは、プログラムチェーン１８７内のプログラム１８９を指定することによって映画の特定のシーンからその映画を鑑賞することができる。
　ビデオマネージャー７１の第３のテーブルであるビデオタイトルセット属性テーブル（ＶＴＳ＿ＡＴＲＴ）８０には、当該光ディスクのボリューム中のビデオタイトルセット（ＶＴＳ）７２に定められた属性情報が記載される。即ち、属性情報としてビデオタイトルセット（ＶＴＳ）７２の数、ビデオタイトルセット（ＶＴＳ）７２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている。
　ビデオマネージャー情報管理テーブル（ＶＭＧＩ＿ＭＡＴ）７８及びタイトルサーチポインターテーブル（ＴＴＳＲＰＴ）７９に記載の記述内容の詳細について、図８、図９、図１０及び図１１を参照して次に説明する。
　図８に示すようにビデオマネージャー情報管理テーブル（ＶＭＧＩ＿ＭＡＴ）７８には、ビデオマネージャー７１の識別子（ＶＭＧ＿ＩＤ）、論理ブロック（既に説明したように１論理ブロックは、２０４８バイト）の数でビデオ管理情報のサイズ（ＶＭＧＩ＿ＳＺ）、当該光ディスク、通称、ディジタルバーサタイルディスク（ディジタル多用途ディスク：以下、単にＤＶＤと称する。）の規格に関するバージョン番号（ＶＥＲＮ）及びビデオマネージャー７１のカテゴリー（ＶＭＧ＿ＣＡＴ）が記載されている。
　ここで、ビデオマネージャー７１のカテゴリー（ＶＭＧ＿ＣＡＴ）には、このＤＶＤビデオディレクトリーがコピーを禁止であるか否かのフラグ等が記載される。また、このテーブル（ＶＭＧＩ＿ＭＡＴ）７８には、ボリュームセットの識別子（ＶＬＭＳ＿ＩＤ）、ビデオタイトルセットの数（ＶＴＳ＿Ｎｓ）、このディスクに記録されるデータの供給者の識別子（ＰＶＲ＿ＩＤ）、ビデオマネージャーメニューの為のビデオオブジェクトセット（ＶＭＧＭ＿ＶＯＢＳ）７６のスタートアドレス（ＶＮＧＭ＿ＶＯＢＳ＿ＳＡ）、ビデオマネージャー情報の管理テーブル（ＶＭＧＩ＿ＭＡＴ）７８の終了アドレス（ＶＭＧＩ＿ＭＡＴ＿ＥＡ）、タイトルサーチポインターテーブル（ＴＴ＿ＳＲＰＴ）７９のスタートアドレス（ＴＴ＿ＳＲＰＴ＿ＳＡ）が記載されている。ＶＭＧＭＡＴ７８の終了アドレス（ＶＭＧＩ＿ＭＡＴ＿ＥＡ）及びＴＴ＿ＳＲＰＴ７９のスタートアドレス（ＴＴ＿ＳＲＰＴ＿ＳＡ）は、先頭の論理ブロックからの相対的な論理ブロック数で記載されている。
　更に、このテーブル７８には、ビデオタイトルセット（ＶＴＳ）７２の属性テーブル（ＶＴＳ＿ＡＴＲＴ）８０のスタートアドレス（ＶＴＳ＿ＡＴＲＴ＿ＳＡ）がＶＭＧＩマネージャーテーブル（ＶＭＧＩ＿ＭＡＴ）７１の先頭バイトからの相対的なバイト数で記載され、ビデオマネージャーメニュー（ＶＭＧＭ）のビデオ属性（ＶＭＧＭ＿Ｖ＿ＡＴＲ）が記載されている。更にまた、このテーブル７８には、ビデオマネージャーメニュー（ＶＭＧＭ）のオーディオストリームの数（ＶＭＧＭ＿ＡＳＴ＿Ｎｓ）、ビデオマネージャーメニュー（ＶＭＧＭ）のオーディオストリームの属性（ＶＭＧＭ＿ＡＳＴ＿ＡＴＲ）、ビデオマネージャーメニュー（ＶＭＧＭ）の副映像ストリームの数（ＶＭＧＭ＿ＳＰＳＴ＿Ｎｓ）及びビデオマネージャーメニュー（ＶＭＧＭ）の副映像ストリームの属性（ＶＭＧＭ＿ＳＰＳＴ＿ＡＴＲ）が記載されている。
　タイトルサーチポインターテーブル（ＴＴ＿ＳＲＰＴ）７９には、図９に示すように始めにタイトルサーチポインターテーブルの情報（ＴＳＰＴＩ）が記載され、次に入力番号１からｎ（ｎ≦９９）に対するタイトルサーチポインタ（ＴＴ＿ＳＲＰ）が必要な数だけ連続的に記載されている。この光ディスクのボリューム中に１タイトルの再生データ、例えば、１タイトルのビデオデータしか格納されていない場合には、１つのタイトルサーチポインタ（ＴＴ＿ＳＲＰ）９３しかこのテーブル（ＴＴ＿ＳＲＰＴ）７９に記載されない。
　タイトルサーチポインターテーブル情報（ＴＳＰＴＩ）９２には、図１０に示されるようにエントリープログラムチェーンの数（ＥＮ＿ＰＧＣ＿Ｎｓ）及びタイトルサーチポインタ（ＴＴ＿ＳＲＰ）９３の終了アドレス（ＴＴ＿ＳＲＰＴ＿ＥＡ）が記載されている。このアドレス（ＴＴ＿ＳＲＰＴ＿ＥＡ）は、このタイトルサーチポインタテーブル（ＴＴ＿ＳＲＰＴ）７９の先頭バイトからの相対的なバイト数で記載される。また、図１１に示すように各タイトルサーチポインタ（ＴＴ＿ＳＲＰ）９３には、ビデオタイトルセット番号（ＶＴＳＮ）、プログラムチェーン番号（ＰＧＣＮ）及びビデオタイトルセット７２のスタートアドレス（ＶＴＳ＿ＳＡ）が記載されている。
　このタイトルサーチポインタ（ＴＴ＿ＳＲＰ）９３の内容によって再生されるビデオタイトルセット（ＶＴＳ）７２、また、プログラムチェーン（ＰＧＣ）が特定されるとともにそのビデオタイトルセット７２の格納位置が特定される。ビデオタイトルセット７２のスタートアドレス（ＶＴＳ＿ＳＡ）は、ビデオタイトルセット番号（ＶＴＳＮ）で指定されるタイトルセットを論理ブロック数で記載される。
　次に、図４に示されたビデオタイトルセット（ＶＴＳ）７２の論理フォーマットの構造について図１２を参照して説明する。各ビデオタイトルセット（ＶＴＳ）７２には、図１２に示すようにその記載順に４つの項目９４、９５、９６、９７が記載されている。また、各ビデオタイトルセット（ＶＴＳ）７２は、共通の属性を有する１又はそれ以上のビデオタイトルから構成され、このビデオタイトル７２についての管理情報、例えば、エントリーサーチポイントの為の情報、ビデオオブジェクトセット９６を再生する為の情報、タイトルセットメニュー（ＶＴＳＭ）を再生する為の情報及びビデオオブジェクトセット７２の属性情報がビデオタイトルセット情報（ＶＴＳＩ）に記載されている。
　このビデオタイトルセット情報（ＶＴＳＩ）９４のバックアップがビデオタイトルセット（ＶＴＳ）７２に設けられている。ビデオタイトルセット情報（ＶＴＳＩ）９４とこの情報のバックアップ（ＶＴＳＩ＿ＢＵＰ）９７との間には、ビデオタイトルセットメニュー用のビデオオブジェクトセット（ＶＴＳＭ＿ＶＯＢＳ）９５及びビデオタイルセットタイトル用のビデオオブジェクトセット（ＶＴＳＴＴ＿ＶＯＢＳ）９６が配置されている。いずれのビデオオブジェクトセット（ＶＴＳＭ＿ＶＯＢＳ及びＶＴＳＴＴ＿ＶＯＢＳ）９５、９６は、既に説明したように図６に示す構造を有している。
　ビデオタイトルセット情報（ｖＴＳＩ）９４、この情報のバックアップ（ＶＴＳＩ＿ＢＵＰ）９７及びビデオタイトルセットタイトル用のビデオオブジェクトセット（ＶＴＳＴＴ＿ＶＯＢＳ）９６は、ビデオタイトルセット７２にとって必須の項目され、ビデオタイトルセットメニュー用のビデオオブジェクトセット（ＶＴＳＭ＿ＶＯＢＳ）９５は、必要に応じて設けられるオプションとされている。
　ビデオタイトルセット情報（ＶＴＳＩ）９４は、図１２に示すように４つのテーブル９８、９９、１００、１０１から構成され、４つのテーブル９８、９９、１００、１０１は、論理セクタ間の境界に一致されている。第１のテーブルであるビデオタイトルセット情報管理テーブル（ＶＴＳＩ＿ＭＡＴ）９８は、必須のテーブルであってビデオタイトルセット（ＶＴＳ）７２のサイズ、ビデオタイトルセット（ＶＴＳ）７２中の各情報の開始アドレス及びビデオタイトルセット（ＶＴＳ）７２中のビデオオブジェクトセット（ＶＯＢＳ）８２の属性が記述されている。
　第２のテーブルであるビデオタイトルセットダイレクトアクセスポインタテーブル（ＶＴＳ＿ＤＡＰＴ）９９は、必要に応じて設けられるオプションのテーブルであって、装置のキー操作／表示部４からのタイトル番号の入力に応じて選定可能な当該ビデオタイトルセット７２中に含まれるプログラムチェーン（ＰＧＣ）及び又はプログラム（ＰＧ）が記載されている。
　第３のテーブルであるビデオタイトルセットプログラムチェーン情報テーブル（ＶＴＳ＿ＰＧＣＩＴ）１００は、必須のテーブルであってＶＴＳプログラムチェーン情報（ＶＴＳ＿ＰＧＣＩ）を記述している。第４のテーブルであるビデオタイトルセットタイムサーチマップテーブル（ＶＴＳ＿ＭＡＰＴ）１０１は、必要に応じて設けられるオプションのテーブルであって表示の一定時間に対するこのマップテーブル（ＶＴＳ＿ＭＡＰＴ）１０１が属するタイトルセット７２の各プログラムチェーン（ＰＧＣ）内のビデオデータの記録位置に関する情報が記述されている。
　次に、図１２に示したビデオタイトル情報マネージャーテーブル（ＶＴＳＩ＿ＭＡＴ）９８及びビデオタイトルセットプログラムチェーン情報テーブル（ＶＴＳ＿ＰＧＣＩＴ）１００について図１３から図２０を参照して説明する。
　図１３は、ビデオタイトル情報マネージャーテーブル（ＶＴＳＩ＿ＭＡＴ）９８の記述内容を示している。このテーブル（ＶＴＩＳ＿ＭＡＴ）９８には、記載順にビデオタイトルセット識別子（ＶＴＳ＿ＩＤ）、ビデオタイトルセット７２のサイズ（ＶＴＳ＿ＳＺ）、このＤＶＤビデオ規格のバージョン番号（ＶＥＲＮ）、タイトルセット７２の属性（ＶＴＳ＿ＣＡＴ）が記載される。また、このテーブル（ＶＴＳＩ＿ＭＡＴ）９８には、、ＶＴＳメニュー（ＶＴＳＭ）のビデオオブジェクトセット（ＶＴＳＭ＿ＶＯＢＳ）９５の開始アドレス（ＶＴＳＭ＿ＶＯＢＳ＿ＳＡ）がこのビデオタイトルセット（ＶＴＳ）７２の先頭論理ブロックからの相対論理ブロック（ＲＬＢＮ）で記述され、ビデオタイトルセット（ＶＴＳ）におけるタイトルの為のビデオオブジェクトのスタートアドレス（ＶＴＳＴＴ＿ＶＯＢ＿ＳＡ）がこのビデオタイトルセット（ＶＴＳ）７２の先頭論理ブロックからの相対論理ブロック（ＲＬＢＮ）で記述される。
　更に、このテーブル（ＶＴＳＩ＿ＭＡＴ）９８には、ビデオタイトルセット情報管理テーブル（ＶＴＩ＿ＭＡＴ）９４の終了アドレス（ＶＴＩＭＡＴ＿ＥＡ）がそのテーブル（ＶＴＩ＿ＭＡＴ）の先頭バイトからの相対ブロック数で記載され、ビデオタイトルセットダイレクトアクセスポインタテーブル（ＶＴＳ＿ＤＡＰＴ）９９のスタートアドレス（ＶＴＳＤＡＰＴ＿ＳＡ）がビデオタイトルセット情報（ＶＴＳＩ）９４の先頭バイトからの相対ブロック数で記載されている。
　更にまた、このテーブル（ＶＴＳＩ＿ＭＡＴ）９８には、ビデオタイトルセットプログラムチェーン情報テーブル（ＰＧＣＩＴ）１００のスタートアドレス（ＶＴＳ＿ＰＧＣＩＴ＿ＳＡ）がビデオタイトルセット情報（ＶＴＳＩ）９４の先頭バイトからの相対ブロック数で記載され、ビデオタイトルセット（ＶＴＳ）のタイムサーチマップ（ＶＴＳ＿ＭＡＰＴ）１０１のスタートアドレス（ＶＴＳ＿ＭＡＰＴ＿ＳＡ）がこのビデオタイトルセット（ＶＴＳ）７２の先頭論理セクタからの相対論理セクタで記述される。このテーブル（ＶＴＳＩ＿ＭＡＴ）９８には、ビデオタイトルセット（ＶＴＳ）７２中のビデオタイトルセットメニュー（ＶＴＳＭ）の為のビデオオブジェクトセット（ＶＴＳＭ＿ＶＯＢＳ）９５及びビデオタイトルセット（ＶＴＳ）のタイトル（ＶＴＳＴＴ）の為のビデオオブジェクトセット（ＶＴＳＴ＿ＶＯＢＳ）９６のビデオ属性（ＶＴＳ＿Ｖ＿ＡＴＲ）及びこのビデオタイトルセット（ＶＴＳ）７２中のビデオタイトルセットのタイトル（ＶＴＳＴＴ）の為のビデオオブジェクトセット（ＶＴＳＴＴ＿ＶＯＢＳ）９６のオーディオストリーム（ＶＴＳ＿ＡＳＴ＿Ｎｓ）の数が記載されている。
　ここで、ビデオ属性（ＶＴＳ＿Ｖ＿ＡＴＲ）には、ビデオの圧縮モード、ＴＶシステムのフレームレート及び表示装置に表示する際の表示のアスペクト比等が記載されている。
　テーブル（ＶＴＳＩ＿ＭＡＴ）９８には、ビデオタイトルセット（ＶＴＳ）７２中のビデオタイトルセット（ＶＴＳ）７２のタイトル（ＶＴＳＴＴ）の為のビデオオブジェクトセット（ＶＴＳＴ＿ＶＯＢＳ）９６のオーディオストリーム属性（ＶＴＳ＿ＡＳＴ＿ＡＴＲ）が記載されている。この属性（ＶＴＳ＿ＡＳＴ＿ＡＴＲ）には、どのようにオーディオを符号化したかを記載したオーディオの符号化モード、オーディオの量子化を何ビットで実行したか、オーディオのチャネル数等が記載される。更に、テーブル（ＶＴＳＩ＿ＭＡＴ）９８には、ビデオタイトルセット（ＶＴＳ）７２中のこのタイトル（ＶＴＳＴＴ）の為のビデオオブジェクトセット（ＶＴＳＴ＿ＶＯＢＳ）９６の副映像ストリームの数（ＶＴＳ＿ＳＰＳＴ＿Ｎｓ）及び各副映像ストリームの属性（ＶＴＳ＿ＳＰＳＴ＿ＡＴＲ）が記載されている。この各副映像ストリームの属性（ＶＴＳ＿ＳＰＳＴ＿ＡＴＲ）には、副映像の符号化モード及び副映像の表示タイプ等が記載される。
　また、このテーブル（ＶＴＳＩ＿ＭＡＴ）９８には、ビデオタイトルセットメニュー（ＶＴＳＭ）のオーディオストリーム数（ＶＴＳＭ＿ＡＳＴ＿Ｎｓ）、オーディオストリーム属性（ＶＴＳＭ＿ＡＳＴ＿ＡＴＲ）、副映像ストリームの数（ＶＴＳＭ＿ＳＰＳＴ＿Ｎｓ）、及び副映像ストリームの属性（ＶＴＳＭ＿ＳＰＳＴ＿ＡＴＲ）が記述されている。
　ＶＴＳプログラムチェーン情報テーブル（ＶＴＳ＿ＰＧＣＩＴ）１００は、図１４に示すような構造を備えている。この情報テーブル（ＶＴＳ＿ＰＧＣＩＴ）１００には、ＶＴＳプログラムチェーン（ＶＴＳ＿ＰＧＣ）に関する情報（ＶＴＳ＿ＰＧＣＩ）が記載され、始めの項目としてＶＴＳプログラムチェーン（ＶＴＳＰＧＣ）に関する情報テーブル（ＶＴＳ＿ＰＧＣＩＴ）１００の情報（ＶＴＳ＿ＰＧＣＩＴ＿Ｉ）１０２が設けられている。この情報（ＶＴＳ＿ＰＧＣＩＴ＿１）１０２に続いてこの情報テーブル（ＶＴＳ＿ＰＧＣＩＴ）１００には、この情報テーブル（ＶＴＳ＿ＰＧＣＩＴ）１００中のＶＴＳプログラムチェーン（ＶＴＳ＿ＰＧＣ）の数（＃１から＃ｎ）だけＶＴＳプログラムチェーン（ＶＴＳ＿ＰＧＣ）をサーチするＶＴＳ＿ＰＧＣＩサーチポインタ（ＶＴＳ＿ＰＧＣＩＴ＿ＳＲＰ）１０３が設けられ、最後にＶＴＳプログラムチェーン（ＶＴＳ＿ＰＧＣ）に対応した数（＃１から＃ｎ）だけ各ＶＴＳプログラムチェーン（ＶＴＳ＿ＰＧＣ）、に関する情報（ＶＴＳ＿ＰＧＣＩ）１０４が設けられている。
　ＶＴＳプログラムチェーン情報テーブル（ＶＴＳ＿ＰＧＣＩＴ）１００の情報（ＶＴＳ＿ＰＧＣＩＴ＿１）１０２には、図１５に示されるようにＶＴＳプログラムチェーン（ＶＴＳ＿ＰＧＣ）の数（ＶＴＳ＿ＰＧＣ＿Ｎｓ）が内容として記述され及びこのテーブル情報（ＶＴＳ＿ＰＧＣＩＴ＿Ｉ）１０２の終了アドレス（ＶＴＳ＿ＰＧＣＩＴ＿ＥＡ）がこの情報テーブル（ＶＴＳ＿ＰＧＣＩＴ）１００の先頭バイトからの相対的なバイト数で記述されている。
　また、ＶＴＳ＿ＰＧＣＩＴサーチポインタ（ＶＴＳ＿ＰＧＣＩＴ＿ＳＲＰ）１０３には、図１６に示すようにビデオタイトルセット（ＶＴＳ）７２のプログラムチェーン（ＶＴＳ＿ＰＧＣ）の属性（ＶＴＳ＿ＰＧＣ＿ＣＡＴ）及びこのＶＴＳ＿ＰＧＣ情報テーブル（ＶＴＳ＿ＰＧＣＩＴ）１００の先頭バイトからの相対的バイト数でＶＴＳ＿ＰＧＣ情報（ＶＴＳ＿ＰＧＣＩ）のスタートアドレス（ＶＴＳ＿ＰＧＣＩ＿ＳＡ）が記述されている。ここで、ＶＴＳ＿ＰＧＣ属性（ＶＴＳ＿ＰＧＣ＿ＣＡＴ）には、属性として例えば、最初に再生されるエントリープログラムチェーン（エントリーＰＧＣ）か否かが記載される。
　通常、エントリプログラムチェーン（ＰＧＣ）は、エントリープログラムチェーン（ＰＧＣ）でないプログラムチェーン（ＰＧＣ）に先だって記載される。
　ビデオタイトルセット内のＰＧＣ情報（ＶＴＳ＿ＰＧＣＩ）１０４には、図１７に示すように４つ項目が記載されている。このＰＧＣ情報（ＶＴＳ＿ＰＧＣＩ）１０４には、始めに必須項目のプログラムチェーン一般情報（ＰＧＣ＿ＧＩ）１０５が記述され、これに続いてビデオオブジェクトがある場合だけ必須の項目とされる少なくとも３つの項目１０６、１０７、１０８が記載されている。即ち、その３つの項目としてプログラムチェーンプログラムマップ（ＰＧＣ＿ＰＧＭＡＰ）１０６、セル再生情報テープル（Ｃ＿ＰＢＩＴ）１０７及びセル位置情報テーブル（Ｃ＿ＰＯＳＩＴ）１０８がＰＧＣ情報（ＶＴＳ＿ＰＧＣＩ）１０４に記載されている。
　プログラムチェーン一般情報（ＰＧＣ＿ＧＩ）１０５には、図１８に示すようにプログラムチェーン（ＰＧＣ）のカテゴリー（ＰＧＣＩ＿ＣＡＴ）、プログラムチェーン（ＰＧＣ）の内容（ＰＧＣ＿ＣＮＴ）及びプログラムチェーン（ＰＧＣ）の再生時間（ＰＧＣ＿ＰＢ＿ＴＩＭＥ）が記載されている。ＰＧＣのカテゴリー（ＰＧＣＩ＿ＣＡＴ）には、当該ＰＧＣのコピーが可能であるか否か及びこのＰＧＣ中のプログラムの再生が連続であるか或いはランダム再生であるか否か等が記載される。ＰＧＣの内容（ＰＧＣ＿ＣＮＴ）には、このプログラムチェーンの構成内容、即ち、プログラム数、セルの数、このプログラムチェーン中のアングルの数が記載される。ＰＧＣの再生時間（ＰＧＣ＿ＰＢ＿ＴＩＭＥ）には、このＰＧＣ中のプログラムのトータル再生時間等が記載される。この再生時間は、再生手順には無関係に連続してＰＧＣ内のプログラムを再生する場合のプログラムの再生時間が記述される。
　また、プログラムチェーン一般情報（ＰＧＣ＿ＧＩ）１０５には、ＰＧＣ副映像ストリーム制御（ＰＧＣ＿ＳＰＳＴ＿ＣＴＬ）、ＰＧＣオーディオストリーム制御（ＰＧＣ＿ＡＳＴ＿ＣＴＬ）及びＰＧＣ副映像パレット（ＰＧＣ＿ＳＰ＿ＰＬＴ）が記載されている。ＰＧＣ副映像ストリーム制御（ＰＧＣ＿ＳＰＳＴ＿ＣＴＬ）には、ＰＧＣで使用可能な副映像数が記載され、ＰＧＣオーディオストリーム制御（ＰＧＣ＿ＡＳＴ＿ＣＴＬ）には、同様にＰＧＣで使用可能なオーディオストリームの数が記載される。ＰＧＣ副映像パレット（ＰＧＣ＿ＳＰ＿ＰＬＴ）には、このＰＧＣの全ての副映像ストリームで使用する所定数のカラーパレットのセットが記載される。
　更に、ＰＧＣ一般情報（ＰＧＣ＿ＧＩ）１０５には、セル再生情報テーブル（Ｃ＿ＰＢＩＴ）１０７のスタートアドレス（Ｃ＿ＰＢＩＴ＿ＳＡ）及びセル位置情報テーブル（Ｃ＿ＰＯＳＩＴ）１０８のスタートアドレス（Ｃ＿ＰＯＳＩＴ＿ＳＡ）が記載されている。いずれのスタートアドレス（Ｃ＿ＰＢＩＴ＿ＳＡ及びＣ＿ＰＯＳＩＴ＿ＳＡ）もＶＴＳ＿ＰＧＣ情報（ＶＴＳ＿ＰＧＣＩ）の先頭バイトからの相対的な論理ブロック数で記載される。
　プログラムチェーンプログラムマップ（ＰＧＣ＿ＰＧＭＡＰ）１０６は、図１９に示すようにＰＧＣ内のプログラムの構成を示すマップである。このマップ（ＰＧＣ＿ＰＧＭＡＰ）１０６には、図１９及び図２０に示すようにプログラムの開始セル番号であるエントリーセル番号（ＥＣＥＬＬＮ）がセル番号の昇順に記述されている。また、エントリーセル番号の記述順にプログラム番号が１から割り当てられている。従って、このマップ（ＰＧＣ＿ＰＧＭＡＰ）１０６の最初のエントリーセル番号は、＃１でなければならない。
　セル再生情報テーブル（Ｃ＿ＰＢＩＴ）１０７は、ＰＧＣのセルの再生順序を定義している。このセル再生情報テーブル（Ｃ＿ＰＢＩＴ）１０７には、図２１に示すようにセル再生情報（Ｃ＿ＰＢＩＴ）が連続して記載されている。基本的には、セルの再生は、そのセル番号の順序で再生される。セル再生情報（Ｃ＿ＰＢＩＴ）には、図２２に示されるようにセルカテゴリー（Ｃ＿ＣＡＴ）が記載される。このセルカテゴリー（Ｃ＿ＣＡＴ）には、セルがセルブロック中のセルであるか、また、セルブロック中のセルであれば最初のセルであるかを示すセルブロックモード、セルがブロック中の一部ではない、或いは、アングルブロックであるかを示すセルブロックタイプ、システムタイムクロック（ＳＴＣ）の再設定の要否を示すＳＴＣ不連続フラグが記載される。
　また、このセルカテゴリー（Ｃ＿ＣＡＴ）には、セル内では連続して再生するか或いはセル内の各ビデオオブジェクトユニット（ＶＯＢＵ）単位で静止するかを示すセル再生モード、セルの再生の後に静止させるか否か或いはその静止時間を示すセルナビゲーション制御が記載されている。
　また、図２２に示すようにセル再生情報テーブル（Ｃ＿ＰＢＩＴ）１０７は、ＰＧＣの全再生時間を記述したセル再生時間（ＣＰＢＴＭ）を含んでいる。アングルセルブロックがＰＧＣ中にある場合には、そのアンダルセル番号１の再生時間がそのアングルブロックの再生時間を表している。更に、セル再生情報テーブル（Ｃ＿ＰＢＩＴ）１０７には、当該セルが記録されているビデオオブジェクトユニット（ＶＯＢＵ）８５の先頭論理セクタからの相対的な論理セクタ数でセル中の先頭ビデオオブジェクトユニット（ＶＯＢＵ）８５のスタートアドレス（Ｃ＿ＦＶＯＢＵ＿ＳＡ）が記載され、また、当該セルが記録されているビデオオブジェクトユニット（ＶＯＢＵ）８５の先頭論理セクタからの相対的な論理セクタ数でセル中の最終ビデオオブジェクトユニット（ＶＯＢＵ）８５のスタートアドレス（Ｃ＿ＬＶＯＢＵ＿ＳＡ）が記載される。
　セル位置情報テーブル（Ｃ＿ＰＯＳＩ）１０８は、ＰＧＣ内で使用するセルのビデオオブジェクト（ＶＯＢ）の識別番号（ＶＯＢ＿ＩＤ）及びセルの識別番号（Ｃ＿ＩＤ）を特定している。セル位置情報テーブル（Ｃ＿ＰＯＳＩ）には、図２３に示されるようにセル再生情報テーブル（Ｃ＿ＰＢＩＴ）１０７に記載されるセル番号に対応するセル位置情報（Ｃ＿ＰＯＳＩ）がセル再生情報テーブル（Ｃ＿ＰＢＩＴ）と同一順序で記載される。このセル位置情報（Ｃ＿ＰＯＳＩ）には、図２４に示すようにセルのビデオオブジェクトユニット（ＶＯＢＵ）８５の識別番号（Ｃ＿ＶＯＢ＿ＩＤＮ）及びセル識別番号（Ｃ＿ＩＤＮ）が記述されている。
　図６を参照して説明したようにセル８４は、ビデオオブジェクトユニット（ＶＯＢＵ）８５の集合とされ、ビデオオブジェクトユニット（ＶＯＢＵ）８５は、ナビゲーション（ＮＶ）パック８６から始まるパック列として定義される。従って、セル８４中の最初のビデオオブジェクトユニット（ＶＯＢＵ）８５のスタートアドレス（Ｃ＿ＦＶＯＢＵ＿ＳＡ）は、ＮＶパック８６のスタートアドレスを表すこととなる。このＮＶパック８６は、図２５に示すようにパックヘッダ１１０、システムヘッダ１１１及びナビゲーションデータとしての２つのパケット、即ち、再生制御情報（ＰＣＩ）パケット１１６及びデータサーチ情報（ＤＳＩ）パケット１１７から成る構造を有し、図２５に示すようなバイト数が各部に付り当てられ、１パックが１論理セクタに相当する２０４８バイトに定められている。また、このＮＶパックは、そのグループオブピクチャー（ＧＯＰ）中の最初のデータが含まれるビデオパックの直前に配置されている。オブジェクトユニット８５がビデオパック８７を含まない場合であってもＮＶパック８６がオーディオパック９１又は／及び副映像パック９０を含むオブジェクトユニットの先頭に配置される。このようにオブジェクトユニットがビデオパックを含まない場合であってもオブジェクトユニットがビデオパック８７を含む場合と同様にオブジェクトユニットの再生時間は、ビデオが再生される単位を基準に定められる。
　ここで、ＧＯＰとは、ＭＰＥＧの規格で定められ、既に説明したように複数画面を構成するデータ列として定義される。即ち、ＧＯＰとは、圧縮されたデータに相当し、この圧縮データを伸張させると動画を再生することができる複数フレームの画像データが再生される。パックヘッダ１１０及びシステムヘッダ１１１は、ＭＰＥＧ２のシステムレーヤで定義され、パックヘッダ１１０には、パック開始コード、システムクロックリファレンス（ＳＣＲ）及び多重化レートの情報が格納され、システムヘッダ１１１には、ビットレート、ストリームＩＤが記載されている。ＰＣＩパケット１１６及びＤＳＩパケット１１７のパケットヘッダ１１２、１１４には、同様にＭＰＥＧ２のシステムレーヤに定められているようにパケット開始コード、パケット長及びストリームＩＤが格納されている。
　他のビデオパック８７、オーディオパック９１、、副映像パック９０、コンピュータデータパック８８は、図２６に示すようにＭＰＥＧ２のシステムレーヤに定められるように同様にパックヘッダ１２０、パケットヘッダ１２１及び対応するデータが格納されたパケット１２２から構成され、そのパック長は、２０４８バイトに定められている。これらの各パックは、論理ブロックの境界に一致されている。
　ＰＣＩパケット１１６のＰＣＩデータ（ＰＣＩ）１１３は、ＶＯＢユニット（ＶＯＢＵ）８５内のビデオデータの再生状態に同期してプレゼンテーション、即ち、表示の内容を変更する為のナビゲーションデータである。即ち、ＰＣＩデータ（ＰＣＩ）１１３には、図２７に示されるようにＰＣＩ全体の情報としてのＰＣＩ一般情報（ＰＣＩ＿ＧＩ）が記述されている。ＰＣＩ一般情報（ＰＣＩ＿ＧＩ）には、図２８に示されるようにＰＣＩ１１３が記録されているＶＯＢＵ８５の論理セクタからの相対的論理ブロック数でそのＰＣ１１１３が記録されているＮＶパック（ＮＶ＿ＰＣＫ）８６のアドレス（ＮＶ＿ＰＣＫ＿ＬＢＮ）が記述されている。また、ＰＣＩ一般情報（ＰＣＩ＿ＧＩ）には、ＶＯＢＵ８５のカテゴリー（ＶＯＢＵ＿ＣＡＴ）、ＶＯＢＵ８５のスタートＰＴＳ（ＶＯＢＵ＿ＳＰＴＳ）及び終了ＰＴＳ（ＶＯＢＵ＿ＥＰＴＳ）が記述されている。ここで、ＶＯＢＵ８５のスタートＰＴＳ（ＶＯＢＯ＿ＳＰＴＳ）は、当該ＰＣＩ１１３が含まれるＶＯＢＵ８５中のビデオデータの再生開始時間（スタートプレゼンテーションタイムスタンプ（ＳＰＴＳ））を示している。この再生開始時間は、ＶＯＢＵ８５中の最初の再生開始時間である。通常は、最初のピクチャーは、ＭＰＥＧの規格における１ピクチャー（Ｉｎｔｒａ−Ｐｉｃｔｕｒｅ　）の再生開始時間に相当する。ＶＯＢＵ８５の終了ＰＴＳ（ＶＯＢＵＥＰＴＳ）は、当該ＰＣＩ１１３が含まれるＶＯＢＵ８５の再生終了時間（終了プレゼンテーションタイムスタンプ：ＥＰＴＳ））を示している。
　図２５に示したＤＳＩパケット１１７のＤＳＩデータ（ＤＳＩ）１１５は、ＶＯＢユニット（ＶＯＢＵ）８５のサーチを実行する為のナビゲーションデータである。ＤＳＩデータ（ＤＳＩ）１１５には、図２９に示すようにＤＳＩ一般情報（ＤＳＩ＿ＧＩ）、ＶＯＢＵのサーチ情報（ＶＯＢＵ＿ＳＩ）及び同期再生情報（ＳＹＮＣＩ）が記述されている。
　ＤＳＩ一般情報（ＤＳＩ＿ＧＩ）は、そのＤＳＩ１１５全体の情報が記述されている。即ち、図３０に示すようにＤＳＩ一般情報（ＤＳＩ＿ＧＩ）には、ＮＶパック８６のシステム時刻基準参照値（ＮＶ＿ＰＣＫ＿ＳＣＲ）が記載されている。このシステム時刻基準参照値（ＮＶ＿ＰＣＫ＿ＳＣＲ）は、図１に示す各部に組み込まれているシステムタイムクロック（ＳＴＣ）に格納され、このＳＴＣを基準にビデオ、オーディオ及び副映像パックがビデオ、オーディオ及び副映像デコーダ部５８、６０、６２でデコードされ、映像及び音声がモニタ部６及びスピーカ部８で再生される。ＤＳＩ一般情報（ＤＳＩ＿ＧＩ）には、ＤＳＩ１１５が記録されているＶＯＢセット（ＶＯＢＳ）８２の先頭論理セクタからの相対的論理セクタ数（ＲＬＳＮ）でＤＳＩ１１５が記録されているＮＶパック（ＮＶ＿ＰＣＫ）８６のスタートアドレス（ＮＶ＿ＰＣＫ＿ＬＢＮ）が記載され、ＶＯＢユニット（ＶＯＢＵ）の先頭論理セクタからの相対的論理セクタ数（ＲＬＳＮ）でＤＳＩ１１５が記録されているＶＯＢユニット（ＶＯＢＵ）８５中の最終パックのアドレス（ＶＯＢＵ＿ＥＡ）が記載されている。
　更に、ＤＳＩ一般情報（ＤＳＩ＿ＧＩ）には、ＤＳＩ１１５が記録されているＶＯＢユニット（ＶＯＢＵ）の先頭論理セクタからの相対的論理セクタ数（ＲＬＳＮ）でこのＶＯＢＵ内での最初のＩピクチャーの最終アドレスが記録されているＶパック（Ｖ＿ＰＣＫ）８８の終了アドレス（ＶＯＢＵ＿ＩＰ＿ＥＡ）が記載され、当該ＤＳＩ１１５が記録されているＶＯＢＵ８３の識別番号（ＶＯＢＵ＿ＩＰ＿ＩＤＮ）及び当該ＤＳＩ１１５が記録されているセルの識別番号（ＶＯＢＵ＿ＣＩ＿ＤＮ）が記載されている。
　ＶＯＢＵ８５のサーチ情報（ＶＯＢＵ＿ＳＩ）には、セル内の先頭アドレスを特定する為の情報が記述される。
　同期情報（ＳＹＮＣＩ）には、ＤＳＩ１１５が含まれるＶＯＢユニット（ＶＯＢＵ）のビデオデータの再生開始時間と同期して再生する副映像及びオーディオデータのアドレス情報が記載される。即ち、図３１に示すようにＤＳＩ１１５が記録されているＮＶパック（ＮＶＰＣＫ）８６からの相対的な論理セクタ数（ＲＬＳＮ）で目的とするオーディオパック（Ａ＿ＰＣＫ）９１のスタートアドレス（Ａ＿ＳＹＮＣＡ）が記載される。オーディオストリームが複数（最大８）ある場合には、その数だけ同期情報（ＳＹＮＣＩ）が記載される。また、同期情報（ＳＹＮＣＩ）には、目的とする副映像パック（ＳＰ＿ＰＣＫ）９０を含むＶＯＢユニット（ＶＯＢＵ）８５のＮＶパック（ＮＶＰＣＫ）８６のアドレス（ＳＰ＿ＳＹＮＣＡ）がＤＳＩ１１５が記録されているＮＶパック（ＮＶ＿ＰＣＫ）８６からの相対的な論理セクタ数（ＲＬＳＮ）で記載されている。副映像ストリームが複数（最大３２）ある場合には、その数だけ同期情報（ＳＹＮＣＩ）が記載される。
　上記パックのパック長は、２０４８バイト（１論理セクタ）となるように調整されている。パック長が２０４８バイトに満たない場合、満たないバイト数が、６バイト以下の場合、パックヘッダ内のスタッフィングバイトの追加によりパック長を調整し、７バイト以上の場合、スタッフィングバイトは１バイトで、パケットにその不足バイト数に対応するパディングパケットを追加することによりパック長を調整する。
　パックヘッダは、４バイトのバックスタートコード（０００００１ＢＡｈ）、６バイトのＳＣＲ（システムクロックリファレンス、システム時刻基準参照値）、３バイトの多重化レート（ＭＵＸレート；０４６８Ａ８ｈ）、１バイト〜７バイトのスタッフィングバイト（００ｈ）により構成される。パケットは、基準として２０３４バイトで構成され、このパケットには、パック長調整用のパディングパケット（各バイト単位にデータとして意味をなさない有効データ００ｈが記録される）が必要に応じて設けられるようになっている。
　すなわち、図３２に示すように、パケットを構成するデータ長が、２０３４バイトから２０２８バイトの場合、その不足するバイト数分、パックヘッダ内にスタッフィングバイトを追加（挿入）する。
　また、図３３に示すように、パケットを構成するデータ長が、２０２７バイト以下の場合、その不足するバイト数分のパディングパケットを追加する。
　たとえば、ビデオデータのパック化について説明する。
　すなわち、図３４に示すように、データ長が２０１５バイトのビデオデータをパック化する場合、１パケットの基準バイト数（２０３４バイト）とそのビデオデータのバイト数（２０１５バイト）に６バイトのパケットヘッダを加えたバイト数（２０２１バイト）とを比較し、この比較による１３バイトの不足の算出により、１３バイトのパディングパケットの追加と判断し、スタッフィングバイトが１バイトの通常の１４バイトのパックヘッダと、２０２１バイトのビデオパケットに１３バイトのパディングパケットを追加した２０３４バイトのパケットとにより、２０４８バイトのパックを形成する。
　また、図３５に示すように、データ長が２０２５バイトのビデオデータをパック化する場合、１パケットの基準バイト数（２０３４バイト）とそのビデオデータのバイト数（２０２５バイト）に６バイトのパケットヘッダを加えたバイト数（２０３１バイト）とを比較し、この比較による３バイトの不足の算出により、３バイトのスタッフィングバイトの追加と判断し、１バイトのスタッフィングバイトの他に３バイトのスタッフィングバイトを追加した１７バイトのパックヘッダと、２０３１バイトのビデオパケットとにより、２０４８バイトのパックを形成する。
　次に、上記各パックについて詳細に説明する。
　ＮＶパック８６は、図２５に示すように、１つのＧＯＰの先頭のデータを含むビデオパックの直前に配置されるものであり、１４バイトのパックヘッダ１１０と、２４バイトのシステムヘッダ１１１と、９８６バイト以内のＰＣＩパケット１１６と、１０２４バイト以内のＤＳＩパケット１１７により構成されている。ＰＣＩパケット１１６は、６バイトのパケットヘッダ１１２と、１バイトのサブストリームＩＤ１１８と９７９バイトのＰＣＩデータが格納可能なデータ領域１１３により構成され、ＤＳＩパケット１１７は、６バイトのパケットヘッダ１１４と、１バイトのサブストリームＩＤ１１９と１０１７バイトのＤＳＩデータが格納可能なデータ領域１１５により構成されている。
　パックヘッダ１１０は、上述したように、４バイトのバックスタートコード（０００００１ＢＡｈ）、６バイトのＳＣＲ（システムクロックリファレンス、システム時刻基準参照値）、３バイトの多重化レート（ＭＵＸレート；０４６８Ａ８ｈ）、１バイト〜７バイトのスタッフィングバイト（００ｈ）により構成される。
　システムヘッダ１１１は、４バイトのシステムヘッダスタートコード（０００００１ＢＢｈ）、２バイトのヘッダ長等により構成される。
　パケットヘッダ１１２、１１４は、それぞれ３バイトのパケットスタートコード（０００００１ｈ）、１バイトのストリームＩＤ（１０１１１１１１ｂ：プライベートストリーム２）、２バイトのＰＥＳ（Ｐａｃｋｅｔｉｚｅｄ　Ｅｌｅｍｅｎｔａｒｙ　Ｓｔｒｅａｍ）パケット長により構成される。
　サブストリームＩＤ１１８には、ＰＣＩストリームを示すコード（００００００００ｂ）が付与されている。
　サブストリームＩＤ１１９には、ＤＳＩストリームを示すコード（０００００００１ｂ）が付与されている。
　ビデオパック８７は、図３６の（ａ）（ｂ）に示すように、１４バイトのパックヘッダ１２０と、９バイトのパケットヘッダ１２１と２０２５バイトまでのビデオデータが格納可能なデータ領域１２２によりなるビデオパケット、あるいは１９バイトのパケットヘッダ１２１と２０１５バイトまでのビデオデータが格納可能なデータ領域１２２によりなるビデオパケットで、１つのパックが構成されている。パックヘッダ１２０は、上記ＮＶパック８６の場合と同じ構成である。
　パケットヘッダ１２１が９バイトの場合は、３バイトのパケットスタートコード（０００００１ｈ）、１バイトのストリームＩＤ（１１１０００００ｂ：ＭＰＥＧビデオストリーム）、２バイトのＰＥＳ（Ｐａｃｋｅｔｉｚｅｄ　Ｅｌｅｍｅｎｔａｒｙ　Ｓｔｒｅａｍ）パケット長、３バイトのＰＥＳに関するデータにより構成される。
　パケットヘッダ１２１が１９バイトの場合は、上記９バイトの他に、５バイトのＰＴＳ（Ｐｒｅｓｅｎｔａｔｉｏｎ　Ｔｉｍｅ　Ｓｔａｍｐ　；再生出力の時刻管理情報）と５バイトのＤＴＳ（Ｄｅｃｏｄｉｎｇ　Ｔｉｍｅ　Ｓｔａｍｐ　；復号の時刻管理情報）がさらに追加構成されている。このＰＴＳとＤＴＳは、ビデオストリームの１ピクチャ先頭のデータを含むビデオパケットのみに記述される。
　オーディオパック９１は、ドルレビーＡＣ３準拠の圧縮符号化データの場合、図３７の（ａ）に示すように、１４バイトのパックヘッダ１２０と、１４バイトのパケットヘッダ１２１と１バイトのサブストリームＩＤ１３１とパケットデータ内のオーディオフレームの数を示す１バイト構成のフレーム数１３２とパケットデータ内の最初のオーディオフレームの先頭の位置を示す２バイト構成のファーストアクセスユニットポインタ１３３と２０１６バイトまでのオーディオデータが格納可能なデータ領域１３４によりなるオーディオパケットで、１つのパックが構成されている。パックヘッダ１２０は、上記ＮＶパック８６の場合と同じ構成である。パケットヘッダ１２１にＰＴＳが含まれない場合、パケットヘッダ１２１が９バイト構成となり、オーディオデータが格納可能なデータ領域１３４が２０２１バイトに拡張する。
　オーディオパック９１は、リニアＰＣＭの符号化データの場合、図３７の（ｂ）に示すように、１４バイトのパックヘッダ１２０と、１４バイトのパケットヘッダ１２１と１バイトのサブストリームＩＤ１３１とパケットデータ内のオーディオフレームの数を示す１バイト構成のフレーム数１３２とパケットデータ内のオーディオフレームの先頭の位置を示す２バイト構成のファーストアクセスユニットポインタ１３３とパケットデータ内のオーディオデータの情報が記述されている３バイト構成のオーディオデータインフォメーション１３５と２０１３バイトまでのオーディオデータが格納可能なデータ領域１３４によりなるオーディオパケットで、１つのパックが構成されている。パックヘッダ１２０は、上記ＮＶパック８６の場合と同じ構成である。パケットヘッダ１２１にＰＴＳが含まれない場合、パケットヘッダ１２１が９バイト構成となり、オーディオデータが格納可能なデータ領域１３４が２０１８バイトに拡張する。
　オーディオデータインフォメーションのオーディオデータの情報としては、フレーム番号、１つのデータの長さが１６ビット長か２０ビット長か２４ビット長かの処理単位、サンプリング周波数等が記述されている。
　パケットヘッダ１２１は、３バイトのパケットスタートコード（０００００１ｈ）、１バイトのストリームＩＤ（１０１１１１０１ｂ：プライベートストリーム１）、２バイトのＰＥＳ（Ｐａｃｋｅｔｉｚｅｄ　Ｅｌｅｍｅｎｔａｒｙ　Ｓｔｒｅａｍ）パケット長、３バイトのＰＥＳの内容、５バイトのＰＴＳ（Ｐｒｅｓｅｎｔａｔｉｏｎ　Ｔｉｍｅ　Ｓｔａｍ　ｐ　；再生出力の時刻管理情報）により構成される。
　オーディオデータがドルビーＡＣ３準拠の圧縮符号化データの場合に付与されるサブストリームＩＤ１３１には、ＡＣ３ストリームを示すコード（１００００×××ｂ：×××がストリーム番号）が付与されている。
　オーディオデータがリニアＰＣＭの場合に付与されるサブストリームＩＤ１３１には、リニアＰＣＭストリームを示すコード（１０１００×××ｂ：×××がストリーム番号）が付与されている。
　オーディオデータの１フレームは、たとえば４バイトのフレームヘッダと０〜１９１までの左右の４バイトずつの７７２バイトのオーディオデータにより構成されている。
　副映像パック９０は、図３８に示すように、１４バイトのパックヘッダ１２０と、１４バイトのパケットヘッダ１２１と１バイトのサブストリームＩＤ１４１と２０１９バイトまでの副映像データが格納可能なデータ領域１４２によりなる副映像パケットで、１つのパックが構成されている。パケットヘッダ１２１にＰＴＳが含まれない場合、パケットヘッダ１２１が９バイト構成となり、副映像データが格納可能なデータ領域１４２が２０２４バイトに拡張する。パックヘッダ１２０は、上記ＮＶパック８６の場合と同じ構成である。
　サブストリームＩＤ１４１には、副映像ストリームを示すコード（００１×××××ｂ：×××××ストリーム番号）が付与されている。
　パケットヘッダ１２１には、３バイトのパケットスタートコード（０００００１ｈ）、１バイトのストリームＩＤ（１０１１１１０１ｂ：プライベートストリーム１）、２バイトのＰＥＳ（Ｐａｃｋｅｔｉｚｅｄ　Ｅｌｅｍｅｎｔａｒｙ　Ｓｔｒｅａｍ）パケット長、３バイトのＰＥＳに関するデータ、５バイトのＰＴＳ（Ｐｒｅｓｅｎｔａｔｉｏｎ　Ｔｉｍｅ　Ｓｔａｍｐ　；再生出力の時刻管理情報）により構成されている。このＰＴＳは、各副映像ユニットの先頭データを含む副映像パケットのみに記述される。
　コンピュータデータパック８８は、図３９に示すように、１４バイトのパックヘッダ１２０と、１４バイトのパケットヘッダ１２１と１バイトのサブストリームＩＤ１５１と２バイトのコンピュータ環境情報１５２と２０１７バイトまでのコンピュータデータが格納可能なデータ領域１５３よりなるパケットで、１つのパックが構成されている。パケットヘッダ１２１にＰＴＳが含まれない場合、パケットヘッダ１２１が９バイト構成となり、コンピュータデータが格納可能なデータ領域１５３が２０２２バイトに拡張する。パックヘッダ１２０は、上記ＮＶパック８６の場合と同じ構成である。
　コンピュータ環境情報１５２としては、使用ＣＰＵと使用ＯＳが記述される。たとえば、図４０に示すように、４種類の種別が選択できるようになっており、使用ＣＰＵが「ＣＰＵ１」で使用ＯＳが「ＯＳ１」の場合、「０１１０（ｈ）」が記述され、使用ＣＰＵが「ＣＰＵ１」で使用ＯＳが「ＯＳ２」の場合、「０１１１（ｈ）」が記述され、使用ＣＰＵが「ＣＰＵ２」で使用ＯＳが「ＯＳ３」の場合、「１００２（ｈ）」が記述され、使用ＣＰＵが「ＣＰＵｌ」で使用ＯＳが「ＯＳ３」の場合、「０１０２（ｈ）」が記述される。
　サブストリームＩＤには、コンピュータストリームを示すコード（１１００００００ｂ）が付与されている。
　パケットヘッダ１２１には、３バイトのパケットスタートコード（０００００１ｈ）、１バイトのストリームＩＤ（１０１１１１０１ｂ：プライベートストリーム１）、２バイトのＰＥＳ（Ｐａｃｋｅｔｉｚｅｄ　Ｅｌｅｍｅｎｔａｒｙ　Ｓｔｒｅａｍ）パケット長、３バイトのＰＥＳに関するデータ、５バイトのＰＴＳ（Ｐｒｅｓｅｎｔａｔｉｏｎ　Ｔｉｍｅ　Ｓｔａｍｐ　；再生出力の時刻管理情報）により構成されている。このＰＴＳは、各コンピュータデータストリームの先頭データを含むコンピュータデータパケットのみに記述される。
　上記各パックに記述されるＳＣＲは、各ビデオタイトルセットごとの先頭パックの値を０とし、光ディスク１０への記録順に昇順に増加するようになっている。
　上記各パックのパケットヘッダ１２１内に記述されるストリームＩＤは、図４１に示すように、「１０１１１１００」の場合、プログラムストリームマップを示し、「１０１１１１０１」の場合、プライベートストリーム１を示し、「１０１１１１１０」の場合、パディングストリーム（ダミーデータ）を示し、「１０１１１１１１」の場合、プライベートストリーム２を示し、「１１０×××××」の場合、ＭＰＥＧオーディオストリーム（×××××；ストリーム番号）を示し、「１１１０××××」の場合、ＭＰＥＧビデオストリーム（××××；ストリーム番号）を示し、「１１１１００００」の場合、エンタイトルメント（許諾）制御メッセージを示し、「１１１１１００１０」の場合、エンタイトルメント（許諾）管理メッセージを示し、「１１１１００１０」の場合、ＤＳＭコントロールコマンドを示し、「１１１１１１１１」の場合、プログラムストリームディレクトリを示している。
　上記オーディオパック９１、副映像パック９０、コンピュータデータパック８８のパケット内に記述されるサブストリームＩＤ１３１、１４１、１５１は、プライベートストリーム１に対応し、図４２に示すように、「１０１００×××」の場合、リニアＰＣＭオーディオストリームを示し、その「×××」がストリーム番号となり、「００１×××××」の場合、副映像ストリームを示し、その「×××××」がストリーム番号となり、「１１００００００」の場合、コンピュータデータストリームを示し、「１００００×××」の場合、ドルビーＡＣ３オーディオストリームを示し、その「×××」がストリーム番号となっている。
　上記ＮＶパック８７内のＰＣＩパケットとＤＳＩパケットに記述されるサブストリームＩＤ１１８、１１９は、プライベートストリーム２に対応し、図４３に示すように、「００００００００」の場合、ＰＣＩストリームを示し、「０００００００１」の場合、ＤＳＩストリームを示している。
　次に、リニアオーディオデータのパック９１の構成の具体例を、図４４を用いて説明する。
　すなわち、パケットヘッダ１２１内のストリームＩＤとしてはプライベートストリーム１を示す「１０１１１１０１」が記述され、サブストリームＩＤ１３１としてリニアＰＣＭオーディオストリームを示す「１０１０００１１」が記述され、ストリーム番号は「３」が記述され、ファーストアクセスユニットポインタ１３３として「０１ＤＢ（ｈ）」が記述されている。パケット内のデータ領域１３４には、前のフレームの残りデータ（４７２バイト）と２つのフレームデータ（１フレーム７７２バイト構成）が格納されている。
　次に、コンピュータデータのパック８８の構成の具体例を、図４５を用いて説明する。
　すなわち、パケットヘッダ１２１内のストリームＩＤとしてはプライベートストリーム１を示す「１０１１１１０１」が記述され、サブストリームＩＤ１５１としてコンピュータデータストリームを示す「１１００００００」が記述され、コンピュータ環境情報１５２として使用ＣＰＵが「ＣＰＵ１」で使用ＯＳが「ＯＳ２」を示す「０１１１（ｈ）」が記述されている。パケット内のデータ領域１５３には、コンピュータデータが格納されている。
　次に、副映像データのパック９０の構成の具体例を、図４６を用いて説明する。
　すなわち、パケットヘッダ１２１内のストリームＩＤとしてはプライベートストリーム１を示す「１０１１１１０１」が記述され、サブストリームＩＤ１４１として副映像ストリームを示す「００１００１０１」が記述され、ストリーム番号は「５」が記述されている。パケット内のデータ領域１４２には、２０１９バイトまでの副映像データが格納されている。
　上記システムプロセッサ部５４には、パケットの種別を判断してそのパケット内のデータを各デコーダへ転送するパケット転送処理部２００を有している。このパケット転送処理部２００は、図４７に示すように、メモリインターフェース部（メモリＩ／Ｆ部）２０１、スタッフィング長検知部２０２、パックヘッダ終了アドレス算出部２０３、パック種別判別部２０４、パケットデータ転送制御部２０５、およびデコーダインターフェース部（デコーダ１／Ｆ部）２０６により構成されている。
　メモリＩ／Ｆ部２０１は、データＲＡＭ部５６からのパックデータをデータバスによりスタッフィング長検知部２０２、パック種別判別部２０４、パケットデータ転送制御部２０５、およびデコーダＩ／Ｆ部２０６へ出力するものである。
　スタッフィング長検知部２０２は、メモリＩ／Ｆ部２０１から供給されるパックデータ中のパックヘッダ１２０内のスタッフィング長が何バイトであるかを検知するものであり、この検知結果はパックヘッダ終了アドレス算出部２０３に出力される。
　パックヘッダ終了アドレス算出部２０３は、スタッフィング長検知部２０２から供給されるスタッフィング長により、パックヘッダ終了アドレスを算出するものであり、この算出結果はパック種別判別部２０４およびパケットデータ転送制御部２０５に出力される。
　パック種別判別部２０４は、パックヘッダ終了アドレス算出部２０３から供給されるパックヘッダ終了アドレスに従って、上記メモリＩ／Ｆ部２０１ａから供給されるパックデータ中のそのアドレスの次に供給される４バイトのデータの内容により、ビデオパック８７、オーディオパック９１、副映像パック９０、ＮＶパック８６、コンピュータデータパック８８のいずれであるかを判別するものであり、この判別結果はパケットデータ転送制御部２０５に出力される。
　すなわち、プライベートストリーム２を示す１バイトのストリームＩＤが供給された場合、ＮＶパック８６と判別し、ビデオストリームを示す１バイトのストリームＩＤによりビデオパック８７と判別し、プライベートストリーム１を示す１バイトのストリームＩＤによりオーディオパック９１、副映像パック９０あるいはコンピュータデータパック８８と判別するようになっている。
　このオーディオパック９１、副映像パック９０あるいはコンピュータデータパック８８が判別された際、パケットヘッダ１２１に続くサブストリームＩＤ１３１、１４１、１５１によりドルビーＡＣ３オーディオストリーム、リニアオーディオストリーム、副映像ストリーム、コンピュータデータストリームかを判別するようになっている。
　たとえば、図４２に示すように、「１０１００×××」（×××；ストリーム番号）の場合、リニアオーディオストリームと判別され、「１００００×××」（×××；ストリーム番号）の場合、ドルビーＡＣ３オーディオストリームと判別され、「００１×××××」（×××××；ストリーム番号）の場合、副映像ストリームと判別され、「１１００００００」の場合、コンピュータデータストリームと判別される。
　パケットデータ転送制御部２０５は、パックヘッダ終了アドレス算出部２０３から供給されるパックヘッダ終了アドレスとパック種別判別部２０４から供給されるパック種別の判別結果に応じて、転送先とパケットスタートアドレスを判断し、さらに供給されるパックデータのパケットヘッダ１２１内のパケット長を判断するものである。さらに、パケットデータ転送制御部２０５は、転送コントロール信号としての転送先を示す信号をデコーダＩ／Ｆ部２０６に供給し、パケットスタートアドレスからパケット終了アドレスがメモリＩ／Ｆ部２０１に供給されるようになっている。
　デコーダＩ／Ｆ部２０６は、パケットデータ転送制御部２０５から供給される転送コントロール信号に応じて、メモリＩ／Ｆ部２０１からパケットデータ転送制御部２０５に制御されて供給されるパケットヘッダ１２１を含むパケットデータとしての、ビデオデータ、オーディオデータ、副映像データを、対応するデコーダ部５８、６０、６２に出力したり、パケットデータとしてのナビゲーションデータ及びコンピュータデータをデータＲＡＭ部５６に出力するものである。
　次に、再び図１を参照して図４から図２４に示す論理フォーマットを有する光ディスク１０からのムービデ一夕の再生動作について説明する。尚、図１においてブロック間の実線の矢印は、データバスを示し、破線の矢印は、制御バスを示している。
　図１に示される光ディスク装置においては、電源が投入されると、システム用ＲＯＭ及びＲＡＭ５２からシステムＣＰＵ部５０は、初期動作プログラムを読み出し、ディスクドライブ部３０を作動させる。従って、ディスクドライブ部３０は、リードイン領域２７から読み出し動作を開始し、リードイン領域２７に続くＩＳＯ−９６６０等に準拠してボリュームとファイル構造を規定したボリューム及びファイル構造領域７０が読み出される。即ち、システムＣＰＵ部５０は、ディスクドライブ部３０にセットされた光ディスク１０の所定位置に記録されているボリューム及びファイル構造領域７０を読み出す為に、ディスクドライブ部３０にリード命令を与え、ボリューム及びファイル構造領域７０の内容を読み出し、システムプロセッサ部５４を介して、データＲＡＭ部５６に一旦格納する。システムＣＰＵ部５０は、データＲＡＭ部５６に格納されたパステーブル及びディレクトリレコードを介して各ファイルの記録位置や記録容量、サイズ等の情報やその他管理に必要な情報としての管理情報を抜き出し、システム用ＲＯＭ＆ＲＡＭ部５２の所定の場所に転送し、保存する。
　次に、システムＣＰＵ部５０は、システム用ＲＯＭ＆ＲＡＭ部５２から、各ファイルの記録位置や記録容量の情報を参照、してファイル番号０番から始まる複数ファイルからなるビデオマネージャー７１を取得する。即ち、システムＣＰＵ部５０は、システム用ＲＯＭ及びＲＡＭ部５２から取得した各ファイルの記録位置や記録容量の情報を参照してディスクドライブ部３０に対してリード命令を与え、ルートディレクトリ上に存在するビデオマネージャー７１を構成する複数ファイルの位置及びサイズを取得し、このビデオマネージャー７１を読み出し、システムプロセッサ部５４を介して、データＲＡＭ部５６に格納する。このビデオマネージャー７１の第１のテーブルでありビデオマネージャー情報管理テーブル（ＶＭＧＩ＿ＭＡＴ）７８がサーチされる。このサーチによってビデオマネージャーメニュー（ＶＭＧＭ）の為のビデオオブジェクトセット（ＶＭＧＭ＿ＶＯＢＳ）７６の開始アドレス（ＶＭＧＭ＿ＶＯＢＳ＿ＳＡ）が獲得され、ビデオオブジェクトセット（ＶＭＧＭ＿ＶＯＢＳ）７６が再生される。このメニュー用のビデオオブジェクトセット（ＶＭＧＭ＿ＶＯＢＳ）７６の再生に関しては、ビデオタイトルセット（ＶＴＳ）中のタイトルの為のビデオオブジェクトセット（ＶＴＳＭ＿ＶＯＢＳ）と同様であるのでその再生手順は省略する。このビデオオブジェクトセット（ＶＭＧＭ＿ＶＯＢＳ）７６で言語の設定をすると、或いは、ビデオマネージャーメニュー（ＶＭＧＭ）がない場合には、ボリュームマネージャー情報管理テーブル（ＶＭＧＩ＿ＭＡＴ）がサーチされてタイトルセットサーチポインタテーブル（ＴＴ＿ＳＲＰＴ）７９の開始アドレス（ＴＴ＿ＳＲＰＴ＿ＳＡ）がサーチされる。
　このサーチによってタイトルセットサーチポインタテーブル（ＴＴ＿ＳＲＰＴ）７９がシステム用ＲＯＭ＆ＲＡＭ部５２の所定の場所に転送され、保存される。次に、システムＣＰＵ部５０は、タイトルサーチポインタテーブル情報（ＴＳＰＴＩ）９２からタイトルサーチポインタテーブル（ＴＴ＿ＳＲＰＴ）７９の最終アドレスを獲得するとともにキー操作／表示部４からの入力番号に応じたタイトルサーチポインタ（ＴＴ＿ＳＲＰ）９３から入力番号に対応したビデオタイトルセット番号（ＶＴＳＮ）、プログラムチェーン番号（ＰＧＣＮ）及びビデオタイトルセットのスタートアドレス（ＶＴＳ＿ＳＡ）が獲得される。タイトルセットが１つしかない場合には、キー操作／表示部４からの入力番号の有無に拘らず１つのタイトルサーチポインタ（ＴＴ＿ＳＲＰ）９３がサーチされてそのタイトルセットのスタートアドレス（ＶＴＳ＿ＳＡ）が獲得される。このタイトルセットのスタートアドレス（ＶＴＳ＿ＳＡ）からシステムＣＰＵ部５０は、目的のタイトルセットを獲得することとなる。
　尚、システムＣＰＵ部５０は、ビデオマネージャー情報（ＶＭＧＩ）７５の情報管理テーブル（ＶＭＧＩ＿ＭＡＴ）７８に記述されたビデオマネージャーメニュー用のビデオ、オーディオ、副映像のストリーム数及びそれぞれの属性情報を取得して属性情報を基に、各々のビデオデコーダ部５８、オーディオデコーダ部６０及び副映像デコーダ部６２にビデオマネージャーメニュー再生のためのパラメータを設定する。
　次に、図１１に示すビデオタイトルセット７２のスタートアドレス（ＶＴＳ＿ＳＡ）から図１２に示すようにそのタイトルセットのビデオタイトルセット情報（ＶＴＳＩ）９４が獲得される。このビデオタイトルセット情報（ＶＴＳＩ）９４のビデオタイトルセット情報の管理テーブル（ＶＴＳＩ＿ＭＡＴ）９８から図１３に示すビデオタイトルセット情報管理テーブル（ＶＴＳＩ＿ＭＡＴ）の９８終了アドレス（ＶＴＩ＿ＭＡＴ＿ＥＡ）が獲得されると共にオーディオ及び副映像データのストリーム数（ＶＴＳ＿ＡＳＴ＿Ｎｓ、ＶＴＳ＿ＳＰＳＴ＿Ｎｓ）及びビデオ、オーディオ及び副映像データの属性情報（ＶＴＳ＿Ｖ＿ＡＴＲ，ＶＴＳ＿Ａ＿ＡＴＲ，ＶＴＳ＿ＳＰＳＴ＿ＡＴＲ）に基づいて図１に示される再生装置の各部がその属性に従って設定される。
　また、ビデオタイトルセット（ＶＴＳ）の為のメニュー（ＶＴＳＭ）が単純な構成である場合には、図１３に示ずビデオタイトルセット情報管理テーブル（ＶＴＳＩ＿ＭＡＴ）９８からビデオタイトルセットのメニュー用のビデオオブジェクトセット（ＶＴＳＭ＿ＶＯＢ）９５のスタートアドレス（ＶＴＳＭ＿ＶＯＢ＿ＳＡ）が獲得されてそのビデオオブジェクトセット（ＶＴＳＭ＿ＶＯＢ）９５によってビデオタイトルセットのメニューが表示される。このメニューを参照して特にプログラムチェーン（ＰＧＣ）を選択せずに単純にタイトルセット（ＶＴＳ）におけるタイトル（ＶＴＳＴ）の為のビデオオブジェクトセット（ＶＴＴ＿ＶＯＢＳ）９６を再生する場合には、図１３に示すそのスタートアドレス（ＶＴＳＴＴ＿ＶＯＢ＿ＳＡ）からそのビデオオブジェクトセット９６が再生される。
　プログラムチェーン（ＰＧＣ）をキー操作／表示部４で指定する場合には、次のような手順で対象とするプログラムチェーンがサーチされる。このプログラムチェーンのサーチは、ビデオタイトルセットにおけるタイトルの為のプログラムチェーンに限らず、メニューがプログラムチェーンで構成される比較的複雑なメニューにおいてもそのメニューの為のプログラムチェーンのサーチに関しても同様の手順が採用される。ビデオタイトルセット情報（ＶＴＳＩ）９４の管理テーブル（ＶＴＳＩ＿ＭＡＴ）９８に記述される図１３に示すビデオタイトルセット（ＶＴＳ）内のプログラムチェーン情報テーブル（ＶＴＳ＿ＰＧＣＩＴ）１００のスタートアドレスが獲得されて図１４に示すそのＶＴＳプログラムチェーン情報テーブルの情報（ＶＴＳ＿ＰＧＣＩＴ＿１）１０２が読み込まれる。この情報（ＶＴＳ＿ＰＧＣＩＴ＿１）１０２から図１５に示すプログラムチェーンの数（ＶＴＳ＿ＰＧＣ＿Ｎｓ）及びテーブル１００の終了アドレス（ＶＴＳＰＧＣＩＴ＿ＥＡ）が獲得される。
　キー操作／表示部４でプログラムチェーンの番号が指定されると、その番号に対応した図１４に示すＶＴＳ＿ＰＧＣＩＴサーチポインタ（ＶＴＳ＿ＰＧＣＩＴ＿ＳＲＰ）１０３から図１６に示すそのプログラムチェーンのカテゴリー及びそのサーチポインタ（ＶＴＳ＿ＰＧＣＩＴ＿ＳＲＰ）１０３に対応したＶＴＳ＿ＰＧＣ情報１０４のスタートアドレスが獲得される。このスタートアドレス（ＶＴＳ＿ＰＧＣＩ＿ＳＡ）によって図１７に示すプログラムチェーン一般情報（ＰＧＣ＿ＧＩ）が読み出される。この一般情報（ＰＧＣ＿ＧＩ）によってプログラムチェーン（ＰＧＣ）のカテゴリー及び再生時間（ＰＧＣ＿ＣＡＴ、ＰＧＣ＿ＰＢ＿ＴＩＭＥ）等が獲得され、その一般情報（ＰＧＣ＿ＧＩ）に記載したセノレ再生情報テーブル（Ｃ＿ＰＢＩＴ）及びセル位置情報テーブル（Ｃ＿ＰＯＳＩＴ）１０８のスタートアドレス（Ｃ＿ＰＢＩＴ＿ＳＡ、Ｃ＿ＰＯＳＩＴ＿ＳＡ）が獲得される。スタートアドレス（Ｃ＿ＰＢＩＴ＿ＳＡ）から図２３に示すセル位置情報（Ｃ＿ＰＯＳＩ）として図２４に示すようなビデオオブジェクトの識別子（Ｃ＿ＶＯＢ＿ＩＤＮ）及びセルの識別番号（Ｃ＿ＩＤＮ）が獲得される。
　また、スタートアドレス（Ｃ＿ＰＯＳＩＴ＿ＳＡ）から図２１に示すセル再生情報（Ｃ＿ＰＢＩ）が獲得され、その再生情報（Ｃ＿ＰＢＩ）に記載の図２２に示すセル中の最初のＶＯＢＵ８５のスタートアドレス（Ｃ＿ＦＶＯＢＵ＿ＳＡ）及び最終のＶＯＢＵのスタートアドレス（Ｃ＿ＬＶＯＢＵ＿ＳＡ）が獲得されてその目的とするセルがサーチされる。セルの再生順序は、図１７に示されるＰＧＣプログラムマップ（ＰＧＣ＿ＰＧＭＡＰ）１０６の図１９に示すプログラムのマップを参照して次々に再生セル８４が決定される。このように決定されたプログラムチェーンのデータセル８４が次々にビデオオブジェクト１４４から読み出されてシステムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に画像が再現されるとともにスピーカ部８から音声が再生される。
　更に、ナビゲーションパック８６を利用したビデオデータの通常再生に関してフローチャートを参照してより詳細説明する。
　ビデオデータの通常再生では、図４８に示すように通常再生が開始される場合には、ステップＳ１１に示すスタートの後に既に説明したようにビデオマネージャー情報（ＶＭＧＩ）７５がシステムＣＰＵ部５０によってサーチされてシステムＲＯＭ／ＲＡＭ部５２に格納される（ステップＳ１２）。同様にこのビデオマネージャー情報（ＶＭＧＩ）７５に基づいてビデオタイトルセット（ＶＴＳ）７２のビデオタイトルセット情報（ＶＴＳＩ）９４が読み込まれるとともにビデオタイトルセットメニューがそのビデオオブジェクトセット（ＶＴＳＭ＿ＶＯＢＳ）９５を利用してモニター部６に表示される。この表示を基にステップＳ１３で示すように再生すべきタイトルセット７２及び再生条件の等をユーザーが決定する。この決定したタイトルセット７２をキー操作／表示部４を用いて選択すると、ステップＳ１４に示すように選択したタイトルセット７２中の図１２に示すプログラムチェーン情報テーブル（ＶＴＳ＿ＰＧＣＩＴ）１００から図１７、図２１及び図２２に示すセル再生情報テーブル（Ｃ＿ＰＢＩＴ）１０７のデータがシステムＣＰＵ部５０によって読み込まれ、これがシステムＲＯＭ／ＲＡＭ部５２に格納される。
　システムＣＰＵ部５０は、ステップＳ１５に示すようにキー操作／表示部４から入力された再生条件に応じて再生を開始するプログラムチェーン番号（ＶＴＳ＿ＰＧＣ＿Ｎｓ）、アングル番号（ＡＮＧＮｓ）、オーディオストリーム番号及び副映像ストリーム番号が決定される。例えば、プログラムチェーンとしてボクシングのワールドチャンピョン第１１戦がタイトルとして選定され、英語のナレーションの基に副映像として日本語の字幕を映し出すことを決定する。また、アングルとして常に両者の戦いが良く鑑賞できる映像に決定する等の選択がユーザによって実行される。この決定された副映像番号及びオーディオストリーム番号がステップＳ１６に示すようにシステムプロセッサ部５４のレジスタ５４Ｂに設定される。同様に、再生スタート時間がシステムプロセッサ部５４、ビデオデコーダ部５８、オーディオデコーダ部６０及び副映像デコーダ部６２のシステムタイムクロック（ＳＴＣ）５４Ａ、５８Ａ、６０Ａ、６２Ａに設定される。また、スタートアドレスとしてのセル中の最初のＶＯＢＵのスタートアドレス及びＰＧＣ番号、即ち、セル番号がシステム用ＲＯＭ／ＲＡＭ部５２に格納される。
　ステップＳ１７に示すようにビデオタイトルセットの読み込み準備が整った時点でリードコマンドがシステムＣＰＵ部５０からディスクドライブ部３０に与えられ、上述したスタートアドレスを基に光ディスク１０がディスクドライブ部３０によってシークされる。このリードコマンドによって光ディスク１０からは、指定されたプログラムチェーン（ＰＧＣ）に係るセルが次々に読み出され、システムＣＰＵ部５０及びシステム処理部５４を介してデータＲＡＭ部５６に送られる。この送られたセルデータは、図６に示すようにビデオオブジェクトユニット（ＶＯＢＵ）８５の先頭パックであるナビゲーションパック８６からパックがデータＲＡＭ部５６に格納される。その後、ビデオオブジェクトユニット（ＶＯＢＵ）のビデオパック８７、オーディオパック９１、副映像パック９０、及びコンピュータデータパック８８が夫々ビデオデコーダ部５８、オーディオデコーダ部６０、副映像デコーダ部６２及びデータＲＡＭ部５６に分配され、夫々のデコーダでデコードされてＤ／Ａ及びデータ再生部６４に送られる。その結果、モニタ部６に映像信号が送られ、スピーカ部８に音声信号が送られ、副映像を伴った映像の表示が開始されるとともに音声の再現が開始される。
　上記コンピュータデータパック８８の内容は、データＲＡＭ部５６内のシステムＣＰＵ部５０による作業エリアに格納される。
　これにより、システムＣＰＵ部５０はこのコンピュータデータとしてのプログラムデータを用いて別の処理を実行したり、システムＲＯＭ／ＲＡＭ部５２内の別のプログラムを起動するようになっている。
　たとえば、ビデオの途中において、双六ゲームが行われる際に、その簡単な双六ゲームのプログラムが、システムＲＯＭ／ＲＡＭ部５２に記録されておらず、上述したようにコンピュータデータとして読み出されるようになっている。
　また、上述したようにコンピュータデータとして読み出されることにより、システムＲＯＭ／ＲＡＭ部５２に記録されている所定のプログラムを起動するようになっている。
　このような映像及び音声の再生中においては、キー操作／表示部４からの割り込み処理があった場合には、その得られたキーデータがシステムＲＡＭ／ＲＯＭ部５２に格納される。キーデータがない場合には、ドライブ部からの再生終了の割り込みがあったか否かがチェックされる。再生終了の割り込みがない場合には、ナビゲーションパック８６の転送を待つこととなる。ナビゲーションパック８６の転送が終了している場合には、ナビゲーションパック８６中の論理セクタ番号（ＮＶ＿ＰＣＫ＿ＬＳＮ）を現在の論理ブロック番号（ＮＯＷＬＢＮ）としてシステムＲＡＭ／ＲＯＭ部５２に格納される。
　ＮＶパック８６の転送が終了すると、そのセル内の最終ＮＶパック８６かがチェックされる。即ち、セル８４中の最終ナビゲーションパック８６であるか否かがチェックされる。このチェックは、図２２に示すセル再生情報テーブル（Ｃ＿ＰＢＩ）１０７のＣ＿ＬＶＯＢＵのスタートアドレス（Ｃ＿ＬＶＯＢＵ＿ＳＡ）とナビゲーションパック８６のアドレス（Ｖ＿ＰＣＫ＿ＬＢＮ）を比較することによってチェックされる。ＮＶパック８６がセル８４内での最終である場合には、アングルの変更があるか否かがチェックされる。アングルの変更は、キー操作／表示部４からシステムＣＰＵ部５０にアングル変更の入力があるか否かに基づいて判断される。アングルの変更がない場合には、そのセル８４が属するプログラムチェーン（ＰＧＣ）の最終セルであるかがチェックされる。このチェックは、図１７及び図２１に示すそのセル８４がセル再生情報テーブル（Ｃ＿ＰＢＩＴ）１０７の最終セルであるかによって判断される。即ち、プログラムチェーンを構成するセル数及び再生されたセルの識別番号によってチェックされる。
　再生終了である場合、或いは、次に再生されるプログラムチェーンがない場合には、ステップＳ１８に示すようにＰＣ１１１３の一般情報（ＰＣＩ−ＧＩ）に記載されるエンドＰＴＳ（ＶＯＢＵ＿ＥＰＴＳ）が参照されこのエンドＰＴＳ（ＶＯＢＵ＿ＥＰＴＳ）がシステムタイムクロック（ＳＴＣ）に一致すると、ステップ１９に示されるようにモニタ６の画面の表示が中止され、ステップＳ２０に示すようにシステムＣＰＵからディスクドライブ部３０にデータ転送中止コマンドが与えられ、データ転送が中止され、再生動作が終了される。
　次に、上記各パックの転送処理について、図４９に示すフローチャートを参照して説明する。
　すなわち、システムＣＰＵ部５０は、ディスクドライブ部３０にリードコマンドと再生するパックの論理セクタアドレスを転送する（ステップＳ３１）。
　すると、ディスクドライブ部３０は、目的アドレスをシークする（ステップＳ３２）。
　ついで、ディスクドライブ部３０は、目的アドレスのデータをエラー訂正し、論理セクタデータ内の主データ部分を、システムプロセッサ部５４に転送する（ステップＳ３３）。
　システムプロセッサ部５４は、読出した論理セクタのデータをデータＲＡＭ部５６に保存する（ステップＳ３４）。
　システムプロセッサ部５４は、データＲＡＭ部５６内に保存されている論理セクタのデータの先頭よりパックヘッダ１１０、１２０を読出し、そのＳＣＲ（システム時刻基準参照値）を保存する（ステップＳ３５）。
　このとき、論理セクタの先頭とパックデータの先頭が一致しているため、データの取り出しが容易に行える。
　そして、システムプロセッサ部５４は、自身のＰＴＳと上記保存した各パックのＳＣＲとを比較し、ＰＴＳに達したＳＣＲに対応するパックつまり再生出力するパックを判断し、この判断したパックデータをデータＲＡＭ部５６から読出し、パケット転送処理部２００でデータの種別を判別し、この判別した種類に応じてデコーダ部５８、６０、６２あるいはデータＲＡＭ部５６に転送する（ステップＳ３６）。
　そして、各デコーダ部５８、６０、６２はそれぞれのデータフォーマットと上記設定されている符号化方式に従ってデータをデコードし、Ｄ／Ａ＆再生処理部６４に送る。Ｄ／Ａ＆再生処理部６４でビデオデータのデコード結果のディジタル信号をアナログ信号に変換した後、上記設定されている条件によりフレームレート処理、アスペクト処理、パンスキャン処理等を施して、モニタ部６に出力される。Ｄ／Ａ＆再生処理部６４でオーディオデータのデコード結果を上記設定されている条件によりディジタル信号をアナログ信号に変換した後、Ｄ／Ａ＆再生処理部６４で上記設定されている条件によりミキシング処理を施してスピーカ部８に出力される。Ｄ／Ａ＆再生処理部６４は、副映像データのデコード結果のディジタル信号をアナログ信号に変換した後、モニタ部６に出力される（ステップＳ３７）。
　また、データＲＡＭ部５６は、コンピュータデータとしてのプログラムデータが供給された際、そのデータをそのＣＰＵ種別と使用ＯＳを示すコンピュータ環境種別とともに記録し、システムＣＰＵ部５０ヘコンピュータ環境種別とそのデータを出力する。
　再生が終了するまで、上記Ｓ３３〜Ｓ３７が繰り返される。
　次に、パケット転送処理部２００の処理を説明する。
　すなわち、データＲＡＭ部５６から読出されたパックデータがメモリＩ／Ｆ部２０１を介してスタッフィング長検知部２０２、パック種別判別部２０４、パケットデータ転送制御部２０５、およびデコーダＩ／Ｆ部２０６に供給される（ステップＳ４１）。
　これにより、スタッフィング長検知部２０２によって、スタッフィング長が検知され、そのスタッフィング長を示すデータがパックヘッダ終了アドレス算出部２０３に出力される（ステップＳ４２）。
　パックヘッダ終了アドレス算出部２０３は供給されるスタッフィング長により、パックヘッダ終了アドレスを算出し、このパックヘッダ終了アドレスがパック種別判別部２０４、パケットデータ転送制御部２０５に供給される（ステップＳ４３）。
　パック種別判別部２０４は、供給されるパックヘッダ終了アドレスに従って、そのアドレスの次に供給される４〜６バイトのデータの内容により、ＮＶパック８６、ビデオパック８７、ドルビーＡＣ３のオーディオパック９１、リニアＰＣＭのオーディオパック９１、副映像パック９０、コンピュータデータパック８８のいずれであるかを判別し、この判別結果がパケットデータ転送制御部２０５に供給される（ステップＳ４４）。
　すなわち、４バイトのシステムヘッダスタートコードが供給された場合、ＮＶパック８６と判別し、３バイトのパケットスタートコードと１バイトのビデオストリームを示すストリームＩＤによりビデオパック８７と判別し、３バイトのパケットスタートコードと１バイトのストリームＩＤとしてのプライベートストリーム１によりドルビーＡＣ３のオーディオパック９１、リニアＰＣＭのオーディオパック９１、副映像パック９０、コンピュータデータパック８８のいずれかであると判別する。
　また、ストリームＩＤがプライベートストリーム１の際に、パケットヘッダ１２１に続くサブストリームＩＤ（１３１、１４１、１５１）が「１０１００×××」の場合、リニアＰＣＭのオーディオパックと判別し、その「×××」によりストリーム番号を判別する。
　また、ストリームＩＤがプライベートストリーム１の際に、パケットヘッダ１２１に続くサブストリームＩＤ（１３１、１４１、１５１）が「１００００×××」の場合、ドルビーＡＣ３のオーディオパックと判別し、その「×××」によりストリーム番号を判別する。
　また、ストリームＩＤがプライベートストリーム１の際に、パケットヘッダ１２１に続くサブストリームＩＤ（１３１、１４１、１５１）が「００１×××××」の場合、副映像ストリームと判別し、その「×××××」によりストリーム番号を判別する。
　また、ストリームＩＤがプライベートストリーム１の際に、パケットヘッダ１２１に続くサブストリームＩＤ（１３１、１４１、１５１）が「１１００００００」の場合、コンピュータデータストリームと判別する。
　上記リニアＰＣＭのオーディオパック９１あるいはドルビーＡＣ３のオーディオパック９１を判別した際、そのサブストリームＩＤ１３１の後のフレームヘッダ数１３２に続く２バイトのファーストアクセスユニットポインタ１３３により最初のフレームの先頭位置を示すオフセットバイト番号が判別される。
　そして、パケットデータ転送制御部２０５は、供給されるパック種別の判別結果とパックヘッダ終了アドレスとファーストアクセスユニットポインタ１３３に応じて、転送先とパケットスタートアドレスを判断し、さらに供給されるパックデータのパケットヘッダ１２１内のパケット長を判断する。これにより、パケットデータ転送制御部２０５は、転送コントロール信号としての転送先を示す信号をデコーダＩ／Ｆ部２０６に供給し、パケットスタートアドレスからパケット終了アドレスがメモリＩ／Ｆ部２０１１に供給される（ステップＳ４５）。
　したがって、実質的に有効なパケットデータが、メモリＩ／Ｆ部２０からデータバスを介して、デコーダＩ／Ｆ部２０６に供給され、その後、その種別に応じた転送先としての各デコーダ５８、６０、６２あるいはデータＲＡＭ部５６に転送される（ステップＳ４６）。
　すなわち、ビデオデータのパケットデータはデコーダ５８へ転送され、オーディオデータのパケットデータはデコーダ６０へ転送され、副映像データのパケットデータはデコーダ６２へ転送され、コンピュータデータのパケットデータはデータＲＡＭ部５６へ転送される。
　この際、上記パックデータが一定長のため、データＲＡＭ部５６での記憶状態がつまり開始アドレスが一定間隔なため、データＲＡＭ部５６内のパックデータの先頭が常に同じ間隔のアドレスに保存される事となり、パックデータの管理がアドレス管理せずに、パック番号だけの管理で良い。
　尚、データの種別の判別過程では、データがビデオデータの再生位置等を示すＮＶデータとしてのＰＣＩデータおよびＤＳＩデータの場合には、このＮＶデータはデコーダヘは転送されず、このＮＶデータは、データＲＡＭ部５６に格納される。このＮＶデータは、システムＣＰＵ部５０によって必要に応じて参照されてビデオデータの特殊再生をする際に利用される。この際、ＰＣＩデータとＤＳＩデータとはそれらに付与されているサブストリームＩＤにより識別されるようになっている。
　また、１つのセルの再生が終了すると、次に再生するセル情報がプログラムチェーンデータ中のセル再生順序情報から取得し、同様にして再生が続けられる。次に、図５０から図５５を参照して図４から図３１に示す論理フォーマットで映像データ及びこの映像データを再生するための光ディスク１０への記録方法及びその記録方法が適用される記録システムについて説明する。
　図５０は、映像データをエンコーダしてあるタイトルセット８４の映像ファイル８８を生成するエンコーダシステムが示されている。図５０に示されるシステムにおいては、ビデオデータ、オーディオデータ、副映像データ、及びコンピュータデータのソースとして、例えば、ビデオテープレコーダ（ＶＴＲ）２１１、オーディオテープレコーダ（ＡＴＲ）２１２、副映像再生器（Ｓｕｂｐｉｃｔｕｒｅ　ｓｏｕｒｃｅ　）２１３、及びコンピュータデータ再生器２１４が採用される。これらは、システムコントローラ（Ｓｙｓ　ｃｏｎ　）２１５の制御下でビデオデータ、オーディオデータ、副映像データ、及びコンピュータデータを発生し、これらが夫々ビデオエンコーダ（ＶＥＮＣ）２１６、オーディオエンコーダ（ＡＥＮ　Ｃ）２１７、副映像エンコーダ（ＳＰＥＮＣ）２１８及びコンピュータデータエンコーダ（ＣＥＮＣ）２１９に供給され、同様にシステムコントローラ（Ｓｙｓ　ｃｏｎ　）２１５の制御下でこれらエンコーダ２１６、２１７、２１８、２１９でＡ／Ｄ変換されると共に夫々の圧縮方式でエンコードされ、エンコードされたビデオデータ、オーディオデータ、副映像データ及びコンピュータデータ（Ｃｏｍｐ　Ｖｉｄｅｏ，　Ｃｏｍｐ　Ａｕｄｉｏ，　Ｃｏｍｐ　Ｓｕｂ−ｐｉｃｔ・Ｃｏｍｐ　ｃｏｍｐｕｔｅｒ　）としてメモリ２２１、２２１、２２２、２２３に格納される。
　このビデオデータ、オーディオデータ、副映像データ及びコンピュータデータ（Ｃｏｍｐ　Ｖｉｄｅｏ，　Ｃｏｍｐ　Ａｕｄｉｏ，　Ｃｏｍｐ　Ｓｕｂ−ｐｉｃｔ、Ｃｏｍｐ　ｃｏｍｐｕｔｅｒ　）は、システムコントローラ（Ｓｙｓ　ｃｏｎ　）２１５によってファイルフォーマッタ（ＦＦＭＴ）２２４に出力され、既に説明したようなこのシステムの映像データのファイル構造に変換されるとともに各データの設定条件及び属性等の管理情報がファイルとしてシステムコントローラ（Ｓｙｓ　ｃｏｎ　）２１５によってメモリ２２６に格納される。
　以下に、映像データからファイルを作成するためのシステムコントローラ（Ｓｙｓ　ｃｏｎ）２１５におけるエンコード処理の標準的なフローを説明する。
　図５１に示されるフローに従ってビデオデータ及びオーディオデータがエンコードされてエンコードビデオ及びオーディオデータ（Ｃｏｍｐ　Ｖｉｄｅｏ，　Ｃｏｍｐ　Ａｕｄｉｏ）のデータが作成される。即ち、エンコード処理が開始されると、図５１のステップ５０に示すようにビデオデータ及びオーディオデータのエンコードにあたって必要なパラメータが設定される。この設定されたパラメータの一部は、システムコントローラ（Ｓｙｓ　ｃｏｎ　）２１５に保存されるとともにファイルフォーマッタ（ＦＦＭＴ）２２４で利用される。ステップＳ５１で示すようにパラメータを利用してビデオデータがプリエンコードされ、最適な符号量の分配が計算される。ステップＳ５２に示されるようにプリエンコードで得られた符号量分配に基づき、ビデオのエンコードが実行される。このとき、オーディオデータのエンコードも同時に実行される。ステップＳ５３に示すように必要であれば、ビデオデータの部分的な再エンコードが実行され、再エンコードした部分のビデオデータが置き換えられる。この一連のステップによってビデオデータ及びオーディオデータがエンコードされる。
　また、ステップＳ５４及びＳ５５に示すように副映像データがエンコードされエンコード副映像データ（Ｃｏｍｐ　Ｓｕｂ−ｐｉｃｔ　）が作成される。即ち、副映像データをエンコードするにあたって必要なパラメータが同様に設定される。ステップＳ５４に示すように設定されたパラメータの一部がシステムコントローラ（Ｓｙｓ　ｃｏｎ　）２１５に保存され、ファイルフォーマッタ（ＦＦＭＴ）２２４で利用される。このパラメータに基づいて副映像データがエンコードされる。この処理により副映像データがエンコードされる。
　また、ステップＳ５６及びＳ５７に示すようにコンピュータデータがエンコードされエンコードコンピュータデータ（Ｃｏｍｐ　ｃｏｍｐｕｔｅｒ　）が作成される。即ち、データをエンコードするにあたって必要なパラメータが同様に設定される。ステップＳ５６に示すように設定されたパラメータの一部がシステムコントローラ（Ｓｙｓ　ｃｏｎ　）２１５に保存され、ファイルフォーマッタ（ＦＦＭＴ）２２４で利用される。このパラメータに基づいコンピュータてデータがエンコードされる。この処理によりコンピュータデータがエンコードされる。
　図５２に示すフローに従って、エンコードされたビデオデータ、オーディオデータ、副映像データ、及びコンピュータデータ（Ｃｏｍ　Ｖｉｄｅｏ，　Ｃｏｍｐ　Ａｕｄｉｏ，　Ｃｏｍｐ　Ｓｕｂ−ｐｉｃｔ、Ｃｏｍｐｃｏｍｐｕｔｅｒ　）が組み合わされて図４及び図１２を参照して説明したような映像データのタイトルセット構造に変換される。即ち、ステップＳ６１に示すように映像データの最小単位としてのセルが設定され、セルに関するセル再生情報（Ｃ＿ＰＢＩ）が作成される。次に、ステップＳ６２に示すようにプログラムチェーンを構成するセルの構成、ビデオ、副映像及びオーディオ属性等が設定され（これらの属性情報の一部は、各データエンコード時に得られた情報が利用される。）、図１２に示すようにプログラムチェーンに関する情報を含めたビデオタイトルセット情報管理テーブル情報（ＶＴＳＩ＿ＭＡＴ）９８及びビデオタイトルセット時間サーチマップテーブル（ＶＴＳ＿ＭＡＰＴ）１０１が作成される。このとき必要に応じてビデオタイトルセットダイレクトアクセスポインタテーブル（ＶＴＳ＿ＤＡＰＴ）も作成される。次にステップＳ６３に示すように、エンコードされたビデオデータ、オーディオデータ、副映像データ、及びコンピュータデータ（Ｃｏｍ　Ｖｉｄｅｏ，　Ｃｏｍｐ　Ａｕｄｉｏ，　Ｃｏｍｐ　Ｓｕｂ−ｐｉｃｔ　、Ｃｏｍｐ　ｃｏｍｐｕｔｅｒ　）が一定のパックに細分化され、各データのタイムコー順に再生可能なように、ＶＯＢＵ単位毎にその先頭にＮＶパック８６を配置しながら各データセルが配置されて図６に示すような複数のセルで構成されるビデオオブジェクト（ＶＯＢ）が構成され、このビデオオブジェクトのセットでタイトルセットの構造にフォーマットされる。
　尚、図５２に示したフローにおいて、プログラムチェーン情報は、ステップＳ６２の過程で、システムコントローラ（Ｓｙｓ　ｃｏｎ　）２１５のデータベースを利用したり、或いは、必要に応じてデータを再入力する等を実行し、プログラムチェーン情報（ＰＧＩ）として記述される。
　図５３は、上述のようにフォーマットされたタイトルセットを光ディスクヘ記録するためのディスクフォーマッタのシステムを示している。図５３に示すようにディスクフォーマッタシステムでは、作成されたタイトルセットが格納されたメモリ２３０、２３２からこれらファイルデータがボリュームフォーマッタ（ＶＦＭＴ）２３６に供給される。ボリュームフォーマッタ（ＶＦＭＴ）２３６では、タイトルセット８４、８６から管理情報が引き出されてビデオマネージャー７１が作成され、図４に示す配列順序でディスク１０に記録されるべき状態の論理データが作成される。ボリュームフォーマッタ（ＶＦＭＴ）２３６で作成された論理データにエラー訂正用のデータがディスクフォーマツタ（ＤＦＭＴ）２３８において付加され、ディスクヘ記録する物理データに再変換される。変調器（Ｍｏｄｕｌａｔｅｒ）２４０において、ディスクフォーマッタ（ＤＦＭＴ）２３８で作成された物理データが実際にディスクヘ記録する記録データに変換され、この変調処理された記録データが記録器（Ｒｅｃｏｄｅｒ　）２４２によってディスク１０に記録される。
　上述したディスクを作成するための標準的なフローを図５４及び図５５を参照して説明する。図５４には、ディスク１０に記録するための論理データが作成されるフローが示されている。即ち、ステップＳ８０で示すように映像データファイルの数、並べ順、各映像データファイル大きさ等のパラメータデータが始めに設定される。次に、ステップＳ８１で示すように設定されたパラメータと各ビデオタイトルセット７２のビデオタイトルセット情報８１からビデオマネージャー７１が作成される。その後、ステップＳ８２に示すようにビデオマネージャー７１、ビデオタイトルセット７２の順にデータが該当する論理ブロック番号に沿って配置され、ディスク１０に記録するための論理データが作成される。
　その後、図５５に示すようなディスクヘ記録するための物理データを作成するフローが実行される。即ち、ステップＳ８３で示すように論理データが一定バイト数に分割され、エラー訂正用のデータが生成される。次にステップＳ８４で示すように一定バイト数に分割した論理データと、生成されたエラー訂正用のデータが合わされて物理セクタが作成される。その後、ステップＳ８５で示すように物理セクタを合わせて物理データが作成される。このように図５５に示されたフローで生成された物理データに対し、一定規則に基づいた変調処理が実行されて記録データが作成される。その後、この記録データがディスク１０に記録される。
　上述したデータ構造は、光ディスク等の記録媒体に記録してユーザに頒布して再生する場合に限らず、図５６に示すような通信系にも適用することができる。即ち、図５０から図５３に示した手順に従って図４に示すようなビデオマネージャー７１及びビデオタイトルセット７２等が格納された光ディスク１０が再生装置３００にロードされ、その再生装置のシステムＣＰＵ部５０からエンコードされたデータがディジタル的に取り出され、モジュレータ／トランスミッター３１０によって電波或いはケーブルでユーザ或いはケーブル加入者側に送られても良い。また、図５０及び図５３示したエンコードシステム３２０によって放送局等のプロバイダー側でエンコードされたデータが作成され、このエンコードデータが同様にモジュレータ／トランスミッター３１０によって電波或いはケーブルでユーザ或いはケーブル加入者側に送られても良い。このような通信システムにおいては、始めにビデオマネージャー７１の情報がモジュレータ／トランスミッター３１０で変調されて或いは直接にユーザ側に無料で配布され、ユーザがそのタイトルに興味を持った際にユーザー或いは加入者からの要求に応じてそのタイトルセット７２をモジュレータ／トランスミッター３１０によって電波或いはケーブルを介してユーザ側に送られることとなる。タイトルの転送は、始めに、ビデオマネージャー７１の管理下でビデオタイトルセット情報９４が送られてその後にこのタイトルセット情報９４によって再生されるビデオタイトルセットにおけるタイトル用ビデオオブジェクト９５が転送される。このとき必要であれば、ビデオタイトルセットメニュー用のビデオオブジェクト９５も送られる。送られたデータは、ユーザ側でレシーバ／復調器４００で受信され、エンコードデータとして図１に示すユーザ或いは加入者側の再生装置のシステムＣＰＵ部５０で上述した再生処理と同様に処理されてビデオが再生される。
　ビデオタイトルセット７２の転送においてビデオオブジェクトセット９５、９６は、図６に示すビデオオブジェクトユニット８５を単位として転送される。このビデオオブジェクトユニット８５には、ビデオの再生及びサーチ情報が格納されたＮＶパック８６がその先頭に配置されている。しかも、このＮ：Ｖパック８６には、そのＮＶパック８６が属するビデオオブジェクトユニット８５を基準として前後に再生されるべきビデオオブジェクトユニットのアドレスが記載されていることから、ビデオオブジェクトユニット８５の転送中に何らかの原因でビデオオブジェクトユニット８５が欠けたとしても欠けたビデオオブジェクトユニット８５の再転送を要求することによって確実にユーザ側でビデオデータを再生することができる。また、転送は、ビデオオブジェクトユニットの再生順に実施されなくともユーザ側のシステムＲＯＭ／ＲＡＭ部５２が正確なプログラムチェーンの再生情報を保持することでそのＮＶパック８６のアドレスデータを参照して再生順序をシステムＣＰＵ部５０が指示することができる。
　上述した説明においては、ビデオオブジェクトユニットは、ビデオ、オーディオ、副映像及びコンピュータデータを含むデータ列として説明したが、ビデオ、オーディオ、副映像及びコンピュータデータのいずれかが含まれれば良く、オーディオパックのみ或いは副映像パックのみコンピュータデータパックのみで構成されても良い。
　上記したように、ディスクのデータ領域に、プログラムチェーン、プログラム、セル、パックの階層構造でデータが記録され、上記各パックが、各パックを識別するためのパックヘッダとデータストリームが記録されるパケットよりなり、上記パケットが少なくともプライベートストリームを示すデータを有するパケットヘッダとプライベートストリームの種別を示すデータとこの種別に対応するパケットデータよりなるようにしたものである。
　これにより、さまざまな種別データを複数種類取り扱うことができる。
　また、取り扱うデータがドルビーＡＣ３オーディオデータ、リニアＰＣＭオーディオデータの場合には、途中からの再生がスムーズにでき、コンピュータデータの時には、使用できる環境が簡単に検出できる。
　上述した実施例においては、記録媒体として高密度記録タイプの光ディスクについて説明したが、この発明は、光ディスク以外の他の記憶媒体、例えば、磁気ディスク或いはその他の物理的に高密記録可能な記憶媒体等にも適用することができる。
　【発明の効果】
　以上詳述したように、この発明によれば、さまざまな種別データを複数種類取り扱うことができる。
　また、取り扱うデータがリニアオーディオデータの場合には、途中からの再生がスムーズにでき、コンピュータデータの時には、使用できる環境が簡単に検出できる。
【図面の簡単な説明】
　【図１】
　この発明の一実施例に係る光ディスク装置の概略を示すブロック図。
　【図２】
　図１に示したディスクドライブ装置の機構部の詳細を示すブロック図。
　【図３】
　図１に示したディスクドライブ装置に装填される光ディスクの構造を概略的に示す斜視図。
　【図４】
　図３に示す光ディスクの論理フォーマットの構造を示す図。
　【図５】
　図４に示されるビデオマネージャーの構造を示す図。
　【図６】
　図５に示されビデオオブジェクトセット（ＶＯＢＳ）の構造を示す例である。
　【図７】
　図６に示されたビデオオブジェクトユニットの構造を示す説明図。
　【図８】
　図５に示されたビデオマネージャ（ＶＭＧＩ）内のビデオマネージャ情報管理テーブル（ＶＭＧＩ＿ＭＡＴ）のパラメータ及び内容を示す図。
　【図９】
　図５に示されたビデオマネージャ（ＶＭＧＩ）内のタイトルサーチポインタテーブル（ＴＳＰＴ）の構造を示す図。
　【図１０】
　図９に示したタイトルサーチポインタテーブル（ＴＳＰＴ）のタイトルサーチポインタテーブルの情報（ＴＳＰＴＩ）のパラメータ及び内容を示す図。
　【図１１】
　図９に示したタイトルサーチポインタテーブル（ＴＳＰＴ）の入力番号に対応したタイトルサーチポインタ（ＴＴ＿ＳＲＰ）のパラメータ及び内容を示す図。
　【図１２】
　図４に示したビデオタイトルセットの構造を示す図。
　【図１３】
　図１２に示したビデオタイトルセット情報（ＶＴＳＩ）のビデオタイトルセット情報の管理テーブル（ＶＴＳＩ＿ＭＡＴ）のパラメータ及び内容を示す図。
　【図１４】
　図１２に示したビデオタイトルセット情報（ＶＴＳＩ）のビデオタイトルセットプログラムチェーン情報のテーブル（ＶＴＳ＿ＰＧＣＩＴ）の構造を示す図。
　【図１５】
　図１４に示したビデオタイトルセットプログラムチェーン情報のテーブル（ＶＴＳ＿ＰＧＣＩＴ）の情報（ＶＴＳ＿ＰＧＣＩＴＩ）のパラメータ及び内容を示す図。
　【図１６】
　図１４に示したビデオタイトルセットプログラムチェーン情報のテーブル（ＶＴＳ＿ＰＧＣＩＴ）のプログラムチェーンに対応したサーチポインタ（ＶＴＳ＿ＰＧＣＩＴ＿ＳＲＰ）のパラメータ及び内容を示す図。
　【図１７】
　図１４に示したビデオタイトルセットプログラムチェーン情報のテーブル（ＶＴＳ＿ＰＧＣＩＴ）のプログラムチェーンに対応したビデオタイトルセットの為のプログラムチェーン情報（ＶＴＳ＿ＰＧＣＩ）の構造を示す図。
　【図１８】
　図１７に示したプログラムチェーン情報（ＶＴＳ＿ＰＧＣＩ）のプログラムチェーンの一般情報（ＰＧＣ＿ＧＩ）のパラメータ及び内容を示す図。
　【図１９】
　図１７に示したプログラムチェーン情報（ＶＴＳ＿ＰＧＣＩ）のプログラムチェーンのマップ（ＰＧＣ＿ＰＧＭＡＰ）の構造を示す図。
　【図２０】
　図１９に示したプログラムチェーンのマップ（ＰＧＣ＿ＰＧＭＡＰ）に記述されるプログラムに対するエントリーセル番号（ＥＣＥＬＬＮ）のパラメータ及び内容を示す図。
　【図２１】
　図１７に示したプログラムチェーン情報（ＶＴＳ−ＰＧＣＩ）のセル再生情報テーブル（Ｃ＿ＰＢＩＴ）の構造を示す図。
　【図２２】
　図２１に示したセル再生情報テーブル（Ｃ＿ＰＢＩＴ）のパラメータ及び内容を示す図。
　【図２３】
　図１８に示したプログラムチェーン情報（ＶＴＳ＿ＰＧＣＩ）のセル位置情報（Ｃ＿ＰＯＳＩ）の構造を示す図。
　【図２４】
　図２３に示したセル位置情報（Ｃ＿ＰＯＳＩ）のパラメータ及び内容を示す図。
　【図２５】
　図６に示したナビゲーションパックの構造を示す図。
　【図２６】
　図６に示したビデオ、オーディオ、副映像パックの構造を示す図。
　【図２７】
　図２６に示されるナビゲーションパックの再生制御情報（ＰＣＩ）のパラメータ及び内容を示す図。
　【図２８】
　図２７に示される再生制御情報（ＰＣＩ）中の一般情報（ＰＣＩ＿ＧＩ）のパラメータ及び内容を示す図。
　【図２９】
　図２６に示されるナビゲーションパックのディスクサーチ情報（ＤＳＩ）のパラメータ及び内容を示す図。
　【図３０】
　図２９に示されるディスクサーチ情報（ＤＳＩ）のＤＳＩ一般情報（ＤＳＩ＿ＧＩ）のパラメータ及び内容を示す図。
　【図３１】
　図２９に示されるビデオオブジェクト（ＶＯＢ）の同期再生情報（ＳＹＮＣＩ）のパラメータ及びその内容を示す図。
　【図３２】
　調整データ長が７バイト以上の際の調整例を説明するための図。
　【図３３】
　調整データ長が６バイト以下の際の調整例を説明するための図
　【図３４】
　パックの構成を説明するための図。
　【図３５】
　パックの構成を説明するための図。
　【図３６】
　ビデオパックの構成を説明するための図。
　【図３７】
　オーディオパックの構成を説明するための図。
　【図３８】
　副映像パックの構成を説明するための図。
　【図３９】
　コンピュータデータのパックの構成を説明するための図。
　【図４０】
　コンピュータデータの環境種別を説明するための図。
　【図４１】
　ストリームＩＤの構成を説明するための図。
　【図４２】
　プライベートストリーム１に対するサブストリームＩＤの内容を説明するための図。
　【図４３】
　プライベートストリーム２に対するサブストリームＩＤの内容を説明するための図。
　【図４４】
　オーディオパックとパケットの構成を説明するための図。
　【図４５】
　コンピュータデータのパックとパケットの構成を説明するための図。
　【図４６】
　副映像パックとパケットの構成を説明するための図。
　【図４７】
　パケット転送処理部の構成を説明するためのブロック図。
　【図４８】
　ビデオデータ、オーディオデータ、副映像データ、コンピュータデータの再生処理の手順を示すフローチャート。
　【図４９】
　パケット転送処理を説明するためのフローチャート。
　【図５０】
　映像データをエンコーダして映像ファイルを生成するエンコーダシステムを示すブロック図。
　【図５１】
　図５０に示されるエンコード処理を示すフローチャートである。
　【図５２】
　図５１に示すフローでエンコードされたビデオデータ、オーディオデータ及び副映像データを組み合わせて映像データのファイルを作成するフローチャートである。
　【図５３】
　フォーマットされた映像ファイルを光ディスクヘ記録するためのディスクフォーマッタのシステムを示すブロック図。
　【図５４】
　図５３に示されるディスクフォーマッタにおけるディスクに記録するための論理データを作成するフローチャートである。
　【図５５】
　論理データからディスクヘ記録するための物理データを作成するフローチャートである。
　【図５６】
　図４に示すビデオタイトルセットを通信系を介して転送するシステムを示す概略図。
　【符号の説明】
　１０…光ディスク
　７１…管理領域
　７２…データ領域
　８４…セル
　８６…ナビゲーションパック
　８７…ビデオパック
　８８…コンピュータデータパック
　９０…副映像パック
　９１…オーディオパック
　１２０…パックヘッダ
　１２１…パケットヘッダ
　１３１、１４１、１５１…サブストリームＩＤ
　１３３…フレームデータの開始アドレス
　１８７…プログラムチェーン
　１８９…プログラム